【事件の表示】
　特許第６４４３８２２号発明「洗面キャビネット」の特許異議申立事件について、次のとおり決定する。
【結　論】
　特許第６４４３８２２号の明細書、特許請求の範囲を訂正請求書に添付された訂正明細書、特許請求の範囲のとおり訂正後の請求項〔１−７〕について訂正することを認める。
　特許第６４４３８２２号の請求項１、５に係る特許を維持する。
　特許第６４４３８２２号の請求項２−４、６及び７に係る特許についての特許異議の申立てを却下する。
【理　由】
１　手続の経緯
　特許第６４４３８２２号の請求項１〜７に係る特許についての出願は、平成２８年２月２９日に出願され、平成３０年１２月７日にその特許権の設定登録がされ、平成３０年１２月２６に特許掲載公報が発行された。本件特許異議の申立ての経緯は、次のとおりである。
　令和１年　６月１９日　　：特許異議申立人株式会社ＬＩＸＩＬ（以下「　　　　　　　　　　　　　　申立人」という。）による請求項１〜７に
　　　　　　　　　　　　　　係る特許に対する特許異議の申立て
　令和１年　８月１５日付け：取消理由通知書
　令和１年１０月１８日　　：特許権者による意見書及び訂正請求書の提出
　令和１年１２月　３日　　：申立人による意見書の提出
２　訂正の適否についての判断
（１）訂正の内容
　本件訂正請求による訂正の内容は以下のとおりである（下線は訂正箇所を示す。）。　
ア　訂正事項１
　特許請求の範囲の請求項１に、
　「内部に物品を収納可能な収納トレイと、前記収納トレイが設置されるキャビネット本体と、を備えるキャビネットであって、前記収納トレイは、物品が載置可能な底面部と、前記底面部の一端側から上方へ向かって立設された第一立壁部と、前記底面部の他端側から上方へ向かって立設された第二立壁部と、を有し、前記第一立壁部の高さは、前記第二立壁部の高さより大きく、前記収納トレイは、前記第一立壁部が前記第二立壁部より前方側に位置するように配置された第一状態と、前記第二立壁部が前記第一立壁部より前方側に位置するように配置された第二状態と、を切り替えて前記キャビネット本体に設置することが可能であることを特徴とするキャビネット。」
　と記載されているのを、
　「内部に物品を収納可能な収納トレイと、
互いに対面する左右の側壁を有し
前記側壁の前端側に開閉可能に支持され前記キャビネット本体の内部空間を開放または隠蔽可能なミラーと、
水栓装置から吐出された水を受けるボウル部を備えた洗面台の上方に設置され
洗面
前記底面部の下面に設けられ前記キャビネット本体の前記側壁に設けられた被固定部に対して着脱自在に固定可能な固定部と、を有し、
り、前記固定部は、前記収納トレイが第一状態である際でも、前記収納トレイが第二状態である際でも、前記キャビネット本体に対して着脱自在に固定可能であり、前記被固定部は、前記側壁の前端側に設けられた第一被固定部と、前記第一被固定部よりも後方側に設けられた第二被固定部と、を有し、前記固定部は、前記第一状態の場合に前記第二被固定部に対応する位置で前記第二立壁部側に向けて開口する第一横嵌合部と、前記第二状態の場合に前記第二被固定部に対応する位置で前記第一立壁部側に向けて開口する第二横嵌合部と、を有し、前記収納トレイは、前記第一状態の場合には、後方側では前記第一横嵌合部が前記第二被固定部に嵌合するとともに、前方側では前記底面部が前記第一被固定部に支持され、前記第二状態の場合には、後方側では前記第二横嵌合部が前記第二被固定部に嵌合するとともに、前方側では前記底面部が前記第一被固定部に支持されることを
洗面
　請求項１の記載を引用する請求項５も同様に訂正する。
イ　訂正事項２
　特許請求の範囲の請求項５に、
　「前記底面部の一端側から下方へ向かって立設された第三立壁部と、前記底面部の他端側から下方へ向かって立設された第四立壁部と、をさらに備え、前記第三立壁部及び前記第四立壁部との間に、前記固定部が配置されることを特徴とする請求項２又は３に記載のキャビネット。」
　と記載されているのを、
　「前記底面部の一端側から下方へ向かって立設された第三立壁部と、前記底面部の他端側から下方へ向かって立設された第四立壁部と、をさらに備え、前記第三立壁部及び前記第四立壁部との間に、前記固定部が配置されることを特徴とする請求項
１
洗面
ウ　訂正事項３
　特許請求の範囲の請求項２を削除する。
エ　訂正事項４
　特許請求の範囲の請求項３を削除する。
オ　訂正事項５
　特許請求の範囲の請求項４を削除する。
カ　訂正事項６
　特許請求の範囲の請求項６を削除する。
キ　訂正事項７
　特許請求の範囲の請求項７を削除する。
ク　訂正事項８
　【発明の名称】、明細書の段落【０００１】、【０００６】、【０００８】、【００１６】、【００２１】にそれぞれ「キャビネット」と記載されているのを、「
洗面
ケ　訂正事項９
　明細書の段落【０００７】に記載された
　「第１の発明は、内部に物品を収納可能な収納トレイと、前記収納トレイが設置されるキャビネット本体と、を備えるキャビネットであって、前記収納トレイは、物品が載置可能な底面部と、前記底面部の一端側から上方へ向かって立設された第一立壁部と、前記底面部の他端側から上方へ向かって立設された第二立壁部と、を有し、前記収納トレイは、前記第一立壁部の高さは、前記第二立壁部の高さより大きく、前記第一立壁部が前記第二立壁部より前方側に位置するように配置された第一状態と、前記第二立壁部が前記第一立壁部より前方側に位置するように配置された第二状態と、を切り替えて前記キャビネット本体に設置することが可能であることを特徴とするキャビネットである。」を、
「第１の発明は、内部に物品を収納可能な収納トレイと、
互いに対面する左右の側壁を有し
前記側壁の前端側に開閉可能に支持され前記キャビネット本体の内部空間を開放または隠蔽可能なミラーと、
水栓装置から吐出された水を受けるボウル部を備えた洗面台の上方に設置され
洗面
前記底面部の下面に設けられ前記キャビネット本体の前記側壁に設けられた被固定部に対して着脱自在に固定可能な固定部と、を有し、
り、前記固定部は、前記収納トレイが第一状態である際でも、前記収納トレイが第二状態である際でも、前記キャビネット本体に対して着脱自在に固定可能であり、前記被固定部は、前記側壁の前端側に設けられた第一被固定部と、前記第一被固定部よりも後方側に設けられた第二被固定部と、を有し、前記固定部は、前記第一状態の場合に前記第二被固定部に対応する位置で前記第二立壁部側に向けて開口する第一横嵌合部と、前記第二状態の場合に前記第二被固定部に対応する位置で前記第一立壁部側に向けて開口する第二横嵌合部と、を有し、前記収納トレイは、前記第一状態の場合には、後方側では前記第一横嵌合部が前記第二被固定部に嵌合するとともに、前方側では前記底面部が前記第一被固定部に支持され、前記第二状態の場合には、後方側では前記第二横嵌合部が前記第二被固定部に嵌合するとともに、前方側では前記底面部が前記第一被固定部に支持されることを
洗面
コ　訂正事項１０
　明細書の段落【００１５】に記載された
　「第５の発明は、第３又は第４の発明において、前記底面部の一端側から下方へ向かって立設された第三立壁部と、前記底面部の他端側から下方へ向かって立設された第四立壁部と、をさらに備え、前記第三立壁部及び前記第四立壁部との間に、前記固定部が配置されることを特徴とするキャビネットである。」を、
　「第
２
１
洗面
サ　訂正事項１１
　明細書の段落【０００９】、【００１０】を削除する。
シ　訂正事項１２
　明細書の段落【００１１】、【００１２】を削除する。
ス　訂正事項１３
　明細書の段落【００１３】、【００１４】を削除する。
セ　訂正事項１４
　明細書の段落【００１７】、【００１８】を削除する。
ソ　訂正事項１５
　明細書の段落【００１９】、【００２０】を削除する。
（２）訂正の目的の適否、新規事項の有無、特許請求の範囲の拡張・変更の存否
ア　訂正事項１
（ア）訂正の目的について
　訂正事項１に係る請求項１についての訂正は、
ａ　訂正前の請求項１の「前記収納トレイが設置されるキャビネット本体」について、「互いに対面する左右の側壁を有」する限定を付加し、
ｂ　「内部に物品を収納可能な収納トレイと、前記収納トレイが設置されるキャビネット本体と、を備える」「キャビネット」について、前記「収納トレイ」及び前記「キャビネット本体」に加えて「前記側壁の前端側に開閉可能に支持され前記キャビネット本体の内部空間を開放または隠蔽可能なミラー」を備える限定を付加するとともに、「水栓装置から吐出された水を受けるボウル部を備えた洗面台の上方に設置」される「洗面」キャビネットである限定を付加し、
ｃ　「前記収納トレイ」が、「物品が載置可能な底面部と、前記底面部の一端側から上方へ向かって立設された第一立壁部と、前記底面部の他端側から上方へ向かって立設された第二立壁部」に加えて「前記底面部の下面に設けられ前記キャビネット本体の前記側壁に設けられた被固定部に対して着脱自在に固定可能な固定部」を有する限定を付加するとともに、
ｄ　前記収納トレイに付加限定された「固定部」が固定される「被固定部」が、「前記キャビネット本体の前記側壁に設けられ」、「前記側壁の前端側に設けられた第一被固定部と、前記第一被固定部よりも後方側に設けられた第二被固定部と、を有」することを特定し、
ｅ　前記付加限定された「固定部」が、「前記収納トレイが第一状態である際でも、前記収納トレイが第二状態である際でも、前記キャビネット本体に対して着脱自在に固定可能であ」るとともに、「前記第一状態の場合に前記第二被固定部に対応する位置で前記第二立壁部側に向けて開口する第一横嵌合部と、前記第二状態の場合に前記第二被固定部に対応する位置で前記第一立壁部側に向けて開口する第二横嵌合部と、を有」することを特定し、
ｆ　前記「固定部」が付加限定された「収納トレイ」及び「被固定部」は、「前記第一状態の場合には、後方側では前記第一横嵌合部が前記第二被固定部に嵌合するとともに、前方側では前記底面部が前記第一被固定部に支持され、前記第二状態の場合には、後方側では前記第二横嵌合部が前記第二被固定部に嵌合するとともに、前方側では前記底面部が前記第一被固定部に支持される」ことを特定したものであるから、特許請求の範囲の減縮を目的とするものである。
ｇ　以上のとおりであるから、訂正事項１に係る請求項１の訂正は、特許請求の範囲の減縮を目的とするものである。
（イ）新規事項の追加について　　
ａ　本件特許の明細書、特許請求の範囲及び図面には以下の記載がある（下線は当審において付した。）。
（ａ）「【００２３】
　以下、本発明の実施の形態について図面を参照しつつ説明する。なお、各図面中、同様の構成要素には同一の符号を付して詳細な説明は適宜省略する。
　また、本発明において、使用者がキャビネット１００に向かって立っている位置が、キャビネット１００に対する「前方」であると定義する。
【００２４】
　図１は、本発明の第１の実施の形態に係るキャビネットを示す模式的斜視図である。
　なお、図１（ａ）は、
２枚のミラーが開いているキャビネット
ミラーを取り外した状態
【００２５】
　図１に示すように、
キャビネット１００は、例えば樹脂で形成されたキャビネット本体１と、キャビネット本体１の内部空間に載置された収納トレイ２
水を吐出する水栓装置や、その水を受けるボウル部を備えた洗面台の上方に設置される。
キャビネット本体１は、ミラー４を有しており、このミラー４を開閉させることによって、キャビネット本体１の内部空間を開放・隠蔽できる。
（ｂ）「【００２７】
　図２、３に示すように、
収納トレイ２は、物品が載置可能な底面部６と、底面部６の一端側から上方へ向かって立設された第一立壁部８と、底面部６の他端側（第一立壁部８が設けられた一端側とは反対の側）から上方へ向かって立設された第二立壁部１０と、を有している。
第一立壁部８の高さは、第二立壁部１０の高さより大きい。
【００２８】
　
収納トレイ２
第一立壁部８が第二立壁部１０より前方側に位置するように配置された第一状態
第二立壁部１０が第一立壁部８より前方側に位置するように配置された第二状態
切り替えてキャビネット本体１に設置することが可能
【００２９】
　
収納トレイ２は、キャビネット本体１に対して着脱自在に固定可能な固定部１２を有する。
キャビネット本体１に設けられた被固定部１４
（ｃ）「【００４５】
　図１１は、本発明の第２の実施の形態に係るキャビネットが備えている収納トレイを示す模式的断面図である。図１２は、図１１における収納トレイを第一状態でキャビネット本体に取り付ける過程を示す模式的断面図である。図１３は、図１１における収納トレイを第二状態でキャビネット本体に取り付ける過程を示す模式的断面図である。
　なお、図１１（ａ）は、本発明の第２の実施の形態に係る収納トレイが第一状態でキャビネット本体に取り付けられた状態を示す模式的断面図であり、図１１（ｂ）は、本発明の第２の実施の形態に係る収納トレイが第一状態でキャビネット本体に取り付けられた状態を示す模式的断面図である。
【００４６】
　図１１に示すように、
本発明の第２の実施の形態に係る収納トレイ２Ａにおいては、収納トレイ２Ａの固定部１２Ａは、底面部６の下面に設けられ、収納トレイ２Ａが第一状態である際に被固定部１４に固定可能な第一固定部２８と、底面部６の下面に設けられ、収納トレイ２Ａが第二状態である際に被固定部１４に固定可能な第二固定部３０と、を有している。
【００４７】
　
第一固定部２８は、被固定部１４を横から（底面部６と略平行な方向から）挿入可能な第一横嵌合部３２と、第一横嵌合部３２より第一立壁部８寄りに設けられており、被固定部１４を上方から挿入可能な第一縦嵌合部３４
【００４８】
　
第二固定部３０は、被固定部１４を横から（底面部６と略平行な方向から）挿入可能な第二横嵌合部３６と、第二横嵌合部３６より第二立壁部１０寄りに設けられており、被固定部１４を上方から挿入可能な第二縦嵌合部３８と、
（ｄ）「【００５２】
　図１２に示すように、収納トレイ２Ａを第一状態でキャビネット本体１に取り付ける際には、まず被固定部１４を横から（底面部６と略平行な方向から）第一横嵌合部３２に挿入し、嵌合（固定）させる。そして、第一横嵌合部３２に嵌合された被固定部１４を軸に収納トレイ２Ａを下方へ回転させ、他の被固定部１４を第一縦嵌合部３４に挿入し、嵌合（固定）させる。
【００５３】
　図１３に示すように、収納トレイ２Ａを第二状態でキャビネット本体１に取り付ける際には、まず被固定部１４を横から（底面部６と略平行な方向から）第二横嵌合部３６に挿入し、嵌合（固定）させる。そして、第二横嵌合部３６に嵌合された被固定部１４を軸に収納トレイ２Ａを下方へ回転させ、他の被固定部１４を第二縦嵌合部３８に挿入し、嵌合（固定）させる。」
（ｅ）図１　
（ｆ）図１１
（ｇ）図１２
（ｈ）図１３
（ｉ）上記（ａ）の記載と図１（ａ）からは、キャビネット本体１が、閉じた際のミラー４の平面と収納トレイ２の底面部とに直交し、互いに対面する複数の側壁部材を有することが看て取れる。そして、収納トレイ２が載置された空間は、前記複数の側壁部材を左右に備え、前記ミラー４により解放・隠蔽できる内部空間となることが看て取れる。
　また、図１（ａ）と（ｂ）とを対比すると、前記ミラー４は、前記側壁部材の前端側に開閉可能に支持されていることが看て取れる
ｂ　上記（ア）に示したａ〜ｆ事項について
　訂正事項１は、上記（ア）に示したａ〜ｆの各事項を限定するものであるところ、これらの各限定が明細書等に記載された事項の範囲内であるかを検討する。
　
（ａ）上記（ア）ａ及びｂに示した事項について
　上記ａ（ａ）及びａ（ｉ）から、訂正事項１のうち、キャビネット本体が「互いに対面する左右の側壁を有」すること、「キャビネット」が「前記側壁の前端側に開閉可能に支持され前記キャビネット本体の内部空間を開放または隠蔽可能なミラー」を備えるとともに、「水栓装置から吐出された水を受けるボウル部を備えた洗面台の上方に設置」されること、及び、前記洗面台の上方に設置されるキャビネットを「洗面キャビネット」と限定する訂正は、明細書、特許請求の範囲及び図面に記載した事項の範囲内においてするものである。
（ｂ）上記（ア）ｄに示した事項について
　上記ａ（ｂ）から、被固定部１４はキャビネット本体１に設けられており、上記ａ（ｉ）でみたようにキャビネット本体１は側壁部材を有し、上記図１、１１〜１３のキャビネット本体１の収納空間における収納トレイ２の載置状況からみて、前記被固定部１４が、前記側壁部材に設けられること、および、前記被固定部１４が、前記側壁の前端側に設けられた第一被固定部と、前記第一被固定部よりも後方側に設けられた第二被固定部とを有することは明らかであるから、訂正事項１のうち、「被固定部」が、「前記キャビネット本体の前記側壁に設けられ」、「前記側壁の前端側に設けられた第一被固定部と、前記第一被固定部よりも後方側に設けられた第二被固定部と、を有」することを特定する訂正は、明細書、特許請求の範囲及び図面に記載した事項の範囲内においてするものである。
（ｃ）上記（ア）ｃに示した事項について
　上記ａ（ｂ）から、「前記収納トレイ」が、「キャビネット本体１に対して着脱自在に固定可能な固定部１２を有」しており、上記（ｂ）で見たように、キャビネット本体１の側壁部材に被固定部１４が設けられており、上記ａ（ｃ）から、収納トレイ２Ａの固定部１２Ａは、底面部６の下面に設けられて、当該固定部１２Ａの第一固定部２８と第二固定部３０が、それぞれ、第一状態及び第二状態である際に被固定部１４に固定可能であるから、訂正事項１のうち、「収納トレイ」が「前記底面部の下面に設けられ前記キャビネット本体の前記側壁に設けられた被固定部に対して着脱自在に固定可能な固定部」を有することを特定する訂正は、明細書、特許請求の範囲及び図面に記載した事項の範囲内においてするものである。
（ｄ）上記イ（ア）ｅに示した事項について
　上記ａ（ｂ）及びａ（ｃ）から、「固定部」が、「前記収納トレイが第一状態である際でも、前記収納トレイが第二状態である際でも、前記キャビネット本体に対して着脱自在に固定可能であ」ることが理解でき、また、上記ａ（ｂ）及び図１１〜１３から、「固定部」が、「前記第一状態の場合に前記第二被固定部に対応する位置で前記第二立壁部側に向けて開口する第一横嵌合部と、前記第二状態の場合に前記第二被固定部に対応する位置で前記第一立壁部側に向けて開口する第二横嵌合部と、を有」するものであることは明らかであるから、訂正事項１のうち、「固定部」が、「前記収納トレイが第一状態である際でも、前記収納トレイが第二状態である際でも、前記キャビネット本体に対して着脱自在に固定可能であ」り、「前記第一状態の場合に前記第二被固定部に対応する位置で前記第二立壁部側に向けて開口する第一横嵌合部と、前記第二状態の場合に前記第二被固定部に対応する位置で前記第一立壁部側に向けて開口する第二横嵌合部と、を有」するものであることを特定する訂正は、明細書、特許請求の範囲及び図面に記載した事項の範囲内においてするものである。
（ｅ）上記（ア）ｆに示した事項について
　上記ａ（ｂ）及びａ（ｃ）から、「収納トレイ」は、「前記第一状態の場合には、後方側では前記第一横嵌合部が前記第二被固定部に嵌合する」ものであり、また、「前記第二状態の場合には、後方側では前記第二横嵌合部が前記第二被固定部に嵌合する」ことは明らかである。
　また、第一状態を示す図１１（ａ）及び第二状態を示す図１１（ｂ）において、第一縦嵌合部および第二縦嵌合部は、前記底面部６「の下側」に設けられており、前記第一縦嵌合部および第二縦嵌合部に嵌合した前記被固定部１４は、前記底面部６「の下側」の位置で当該底面部６に当接していることが看て取れるから、前記被固定部１４が前記第一縦嵌合部および第二縦嵌合部に嵌合することで、第一状態の場合に、前方側では収納トレイ２の底面部６「の下側」が被固定部で支持され、第二状態の場合に、前方側では収納トレイ２の底面部６「の下側」が被固定部で支持されることとなり、第一状態及び第二状態のいずれの場合も、図１１における右側（後方側）の被固定部１４は、第一横嵌合部３２及び第二横嵌合部３６に嵌合しており、図１１における左側（前方側）の被固定部１４は、収納トレイ２の底面部６を下から支持していると認められる。
　そうすると、訂正事項１のうち、「収納トレイ」が、「前記第一状態の場合には、後方側では前記第一横嵌合部が前記第二被固定部に嵌合するとともに、前方側では前記底面部が前記第一被固定部に支持され、前記第二状態の場合には、後方側では前記第二横嵌合部が前記第二被固定部に嵌合するとともに、前方側では前記底面部が前記第一被固定部に支持される」ことを特定する訂正は、明細書、特許請求の範囲及び図面に記載した事項の範囲内においてするものである。
ｃ　よって、訂正事項１に係る訂正は、明細書等のすべての記載を総合することにより導かれる技術的事項との関係において、新たな技術的事項を導入しないものであるから、願書に添付した明細書、特許請求の範囲または図面に記載した事項の範囲内の訂正である。　
ｄ　申立人は、令和１年１２月３日に提出した意見書において、「（４−２）訂正要件違反について」との項目を設けて、
「ウ−３．すなわち、出願当初明細書等には、第一状態で被固定部１４が第一縦嵌合部３４に挿入され嵌合固定され、第二状態で被固定部１４が第二縦嵌合部３８に挿入され嵌合固定される態様しか記載されておらず、訂正発明１における、広い概念の「支持」手段は記載されていない。」との意見や、
「エ．よって、訂正事項１で追加された「支持」手段は、本件特許の出願当初明細書に記載されておらず、その範囲内でなされた訂正ではない。」との意見を述べている。（意見書第４頁第１４行〜第６頁第２行）
　しかしながら、訂正事項１による訂正は、底面部が被固定部に支持されることを特定したものであり、新たな「支持」手段を追加するものではない。そして、本件特許の明細書、特許請求の範囲及び図面には、第一状態で被固定部１４が第一縦嵌合部３４に挿入され嵌合固定され、第二状態で被固定部１４が第二縦嵌合部３８に挿入され嵌合固定される態様だけが、第一状態の場合に、前方側では収納トレイ２の底面部６が被固定部で支持される唯一の態様であるとの説明、あるいは、第二状態の場合に、前方側では収納トレイ２の底面部６が被固定部で支持される唯一の態様であるとの説明はない。
　また、収納トレイは、上記ａ（ａ）にあるように、キャビネット本体１の内部空間に載置されるものであり、前記内部空間に載置されるためには収納トレイ２の底面部６が被固定部１４によって支持されていれば載置可能であることは明らかであるとともに、縦嵌合部がなければ収納トレイ２の底面部６が被固定部によって支持されないと解さなければならない特段の事情も見当たらない。
　そうすると、明細書等に、被固定部が縦嵌合部に挿入され嵌合固定される態様のみが記載されているとしても、「収納トレイ」が、「前記第一状態の場合には、後方側では前記第一横嵌合部が前記第二被固定部に嵌合するとともに、前方側では前記底面部が前記第一被固定部に支持され、前記第二状態の場合には、後方側では前記第二横嵌合部が前記第二被固定部に嵌合するとともに、前方側では前記底面部が前記第一被固定部に支持される」ことは、願書に添付した明細書、特許請求の範囲または図面に記載した事項から当業者にとって自明な事項であるといえる。
　よって、上記の意見は採用できない。
（ウ）特許請求の範囲の拡張・変更について　　
　訂正事項１に係る訂正は、上記（ア）のとおり、特許請求の範囲の減縮を目的とするものであるから、実質上特許請求の範囲を拡張し、又は変更するものではない。　
イ　訂正事項２
（ア）訂正の目的について
　訂正事項２に係る請求項５についての訂正は、
ａ　訂正前の請求項５は、訂正前の請求項１を引用する訂正前の請求項２、または、訂正前の請求項２を引用する訂正前の請求項３を引用するものである。
　また、訂正後の請求項１は、訂正前の請求項２に記載された、「前記収納トレイは、前記キャビネット本体に対して着脱自在に固定可能な固定部をさらに有し、前記固定部は、前記収納トレイが第一状態である際でも、前記収納トレイが第二状態である際でも、前記キャビネット本体に対して着脱自在に固定可能である」との事項に対応する、上記ア（ア）ｃで示した「前記収納トレイ」が「前記底面部の下面に設けられ前記キャビネット本体の前記側壁に設けられた被固定部に対して着脱自在に固定可能な固定部」を有することと、上記ア（ア）ｅで示した「固定部」が、「前記収納トレイが第一状態である際でも、前記収納トレイが第二状態である際でも、前記キャビネット本体に対して着脱自在に固定可能であ」ることを規定する事項を含むものである。
　一方、訂正後の請求項１は、訂正前の請求項３に記載された事項を含むものではない。
　そうすると、訂正後の請求項５は、訂正後の請求項１を引用することにより、訂正前の請求項２または請求項３のうち、訂正前の請求項２を引用する訂正前の請求項５に限定するとともに、訂正事項１のうちの訂正前の請求項２に記載された以外の事項（以下「訂正事項２−１」という。）について上記ア（ア）のとおり限定するものであるから、特許請求の範囲の減縮を目的とするものである。
ｂ　また、訂正前の「キャビネット」を「洗面キャビネット」とする訂正（以下「訂正事項２−２」という。）は、訂正事項１に係る訂正後の請求項１が「洗面キャビネット」に訂正されたことと整合させるための訂正であるから、明瞭でない記載の釈明を目的とするものである。
（イ）新規事項の追加について　　
　訂正事項２−１に係る訂正は、上記（ア）のとおり、訂正事項１に係る請求項１の訂正を行うもので、特許請求の範囲の減縮を目的とするものであり、上記ア（イ）に示したように、訂正事項１は新規事項を追加するものではないから、訂正事項２−１に係る訂正は、願書に添付した明細書、特許請求の範囲または図面に記載した事項の範囲内の訂正である。
　また、訂正事項２−２に係る訂正は、上記（ア）のとおり、訂正事項１に係る訂正による訂正後の請求項１の記載とを整合させるための訂正であり、新規事項を追加するものではないから、訂正事項２−２に係る訂正は、願書に添付した明細書、特許請求の範囲または図面に記載した事項の範囲内の訂正である。
（ウ）特許請求の範囲の拡張・変更について　　
　訂正事項２に係る訂正は、上記（ア）のとおり、特許請求の範囲を減縮すること、及び、明瞭でない記載の釈明を目的とするものであるから、実質上特許請求の範囲を拡張し、又は変更するものではない。　
ウ　訂正事項３〜７
（ア）訂正の目的について
　訂正事項３〜７に係る訂正は、請求項２〜４、６及び７を削除する訂正であるから、特許請求の範囲の減縮を目的とするものである。
（イ）新規事項の追加について　　
　訂正事項３〜７に係る訂正は、請求項２〜４、６及び７を削除する訂正であるから、願書に添付した明細書、特許請求の範囲または図面に記載した事項の範囲内の訂正である。
（ウ）特許請求の範囲の拡張・変更について　　
　訂正事項３〜７に係る訂正は、請求項２〜４、６及び７を削除する訂正であるから、実質上特許請求の範囲を拡張し、又は変更するものではない。　
エ　訂正事項８について
（ア）訂正の目的について
　訂正事項８に係る訂正は、明細書の【発明の名称】、段落【０００１】、【０００６】、【０００８】、【００１６】、【００２１】にそれぞれ「キャビネット」と記載されているのを、「
洗面
（イ）新規事項の追加について　　
　訂正事項８に係る訂正は、上記（ア）のとおり、明細書の記載と訂正後の請求項１の記載とを整合させるための訂正であり、願書に添付した明細書、特許請求の範囲または図面に記載した事項の範囲内の訂正である。
（ウ）特許請求の範囲の拡張・変更について　　
　訂正事項８に係る訂正は、上記（ア）のとおり、明瞭でない記載の釈明を目的とするものであるから、実質上特許請求の範囲を拡張し、又は変更するものではない。　
オ　訂正事項９について
（ア）訂正の目的について
　訂正事項９は、明細書の段落【０００７】の記載と訂正後の請求項１の記載とを整合させるための訂正であり、明瞭でない記載の釈明を目的とするものである。
（イ）新規事項の追加について　　
　訂正事項９に係る訂正は、上記（ア）のとおり、明細書の記載と訂正後の請求項１の記載とを整合させるための訂正であり、願書に添付した明細書、特許請求の範囲または図面に記載した事項の範囲内の訂正である。
（ウ）特許請求の範囲の拡張・変更について　　
　訂正事項９に係る訂正は、上記（ア）のとおり、明瞭でない記載の釈明を目的とするものであるから、実質上特許請求の範囲を拡張し、又は変更するものではない。　　　
カ　訂正事項１０について
（ア）訂正の目的について
　訂正事項１０は、明細書の段落【００１５】の記載と訂正後の請求項５の記載とを整合させるための訂正であり、明瞭でない記載の釈明を目的とするものである。
（イ）新規事項の追加について　　
　訂正事項１０に係る訂正は、上記（ア）のとおり、明細書の記載と訂正後の請求項５の記載とを整合させるための訂正であり、願書に添付した明細書、特許請求の範囲または図面に記載した事項の範囲内の訂正である。
（ウ）特許請求の範囲の拡張・変更について　　
　訂正事項８に係る訂正は、上記（ア）のとおり、明瞭でない記載の釈明を目的とするものであるから、実質上特許請求の範囲を拡張し、又は変更するものではない。　
 
キ　訂正事項１１
（ア）訂正の目的について
　訂正事項１１に係る訂正は、明細書の段落【０００９】、【００１０】を削除して、訂正事項３により請求項２を削除することと整合させるための訂正であり、明瞭でない記載の釈明を目的とするものである。
（イ）新規事項の追加について　　
　訂正事項１１に係る訂正は、明細書の段落【０００９】、【００１０】を削除する訂正であるから、願書に添付した明細書、特許請求の範囲または図面に記載した事項の範囲内の訂正である。
（ウ）特許請求の範囲の拡張・変更について　　
　訂正事項１１に係る訂正は、明細書の段落【０００９】、【００１０】を削除する訂正であるから、実質上特許請求の範囲を拡張し、又は変更するものではない。　
ク　訂正事項１２
（ア）訂正の目的について
　訂正事項１２に係る訂正は、明細書の段落【００１１】、【００１２】を削除して、訂正事項４により請求項３を削除することと整合させるための訂正であり、明瞭でない記載の釈明を目的とするものである。
（イ）新規事項の追加について　　
　訂正事項１２に係る訂正は、明細書の段落【００１１】、【００１２】を削除する訂正であるから、願書に添付した明細書、特許請求の範囲または図面に記載した事項の範囲内の訂正である。
（ウ）特許請求の範囲の拡張・変更について　　
　訂正事項１２に係る訂正は、明細書の段落【００１１】、【００１２】を削除する訂正であるから、実質上特許請求の範囲を拡張し、又は変更するものではない。
ケ　訂正事項１３
（ア）訂正の目的について
　訂正事項１３に係る訂正は、明細書の段落【００１３】、【００１４】を削除して、訂正事項５により請求項４を削除することと整合させるための訂正であり、明瞭でない記載の釈明を目的とするものである。
（イ）新規事項の追加について　　
　訂正事項１３に係る訂正は、明細書の段落【００１３】、【００１４】を削除する訂正であるから、願書に添付した明細書、特許請求の範囲または図面に記載した事項の範囲内の訂正である。
（ウ）特許請求の範囲の拡張・変更について　　
　訂正事項１３に係る訂正は、明細書の段落【００１３】、【００１４】を削除する訂正であるから、実質上特許請求の範囲を拡張し、又は変更するものではない。
コ　訂正事項１４
（ア）訂正の目的について
　訂正事項１４に係る訂正は、明細書の段落【００１７】、【００１８】を削除して、訂正事項６により請求項６を削除することと整合させるための訂正であり、明瞭でない記載の釈明を目的とするものである。
（イ）新規事項の追加について　　
　訂正事項１４に係る訂正は、明細書の段落【００１７】、【００１８】を削除する訂正であるから、願書に添付した明細書、特許請求の範囲または図面に記載した事項の範囲内の訂正である。
（ウ）特許請求の範囲の拡張・変更について　　
　訂正事項１４に係る訂正は、明細書の段落【００１７】、【００１８】を削除する訂正であるから、実質上特許請求の範囲を拡張し、又は変更するものではない。
サ　訂正事項１５
（ア）訂正の目的について
　訂正事項１５に係る訂正は、明細書の段落【００１９】、【００２０】を削除して、訂正事項７により請求項７を削除することと整合させるための訂正であり、明瞭でない記載の釈明を目的とするものである。
（イ）新規事項の追加について　　
　訂正事項１５に係る訂正は、明細書の段落【００１９】、【００２０】を削除する訂正であるから、願書に添付した明細書、特許請求の範囲または図面に記載した事項の範囲内の訂正である。
（ウ）特許請求の範囲の拡張・変更について　　
　訂正事項１５に係る訂正は、明細書の段落【００１９】、【００２０】を削除する訂正であるから、実質上特許請求の範囲を拡張し、又は変更するものではない。
（３）小括
　以上のとおりであるから、本件訂正請求による訂正は、特許法第１２０条の５第２項ただし書第１号及び第３号に掲げる事項を目的とするものであり、かつ、同条第９項において準用する同法第１２６条第５項及び第６項の規定に適合する。
（４）一群の請求項、及び独立特許要件について　
　訂正前の請求項１〜７について、請求項２〜７は請求項１を直接的または間接的に引用するものであって、訂正事項１によって記載が訂正される請求項１に連動して訂正されるものであるから、訂正前の請求項１〜７に対応する訂正後の請求項１〜７は、特許法第１２０条の５第４項に規定する一群の請求項である。　
　よって、訂正事項１〜１５の訂正は、一群の請求項〔１〜７〕に対して請求されたものである。
　そして、本件においては、訂正前の請求項１〜７について特許異議の申立てがされているから、訂正事項１〜１５の訂正は、いずれも特許異議の申立てがされている請求項に係る訂正であり、訂正事項１〜１５により特許請求の範囲の限定的減縮が行われていても、訂正後の請求項１〜７に係る発明について、特許法第１２０条の５第９項で読み替えて準用する同法第１２６条第７項の独立特許要件は課されない。　
（５）まとめ
　したがって、明細書、特許請求の範囲を、訂正請求書に添付された訂正明細書、特許請求の範囲のとおり、訂正後の請求項〔１〜７〕について訂正することを認める。
３　訂正後の本件発明
　本件訂正請求により訂正された本件特許の請求項１〜７に係る発明（以下「本件訂正発明１〜７」という。）は、訂正特許請求の範囲の請求項１〜７に記載された次の事項により特定されるとおりのものである。
本件訂正発明１
「【請求項１】
　内部に物品を収納可能な収納トレイと、互いに対面する左右の側壁を有し
前記収納トレイが設置されるキャビネット本体と、前記側壁の前端側に開閉可能に支持され前記キャビネット本体の内部空間を開放または隠蔽可能なミラーと、を備え、水栓装置から吐出された水を受けるボウル部を備えた洗面台の上方に設置される洗面キャビネットであって、
　前記収納トレイは、
　　物品が載置可能な底面部と、
　　前記底面部の一端側から上方へ向かって立設された第一立壁部と、
　　前記底面部の他端側から上方へ向かって立設された第二立壁部と、
　　前記底面部の下面に設けられ前記キャビネット本体の前記側壁に設けられた被固定部に対して着脱自在に固定可能な固定部と、を有し、
　前記第一立壁部の高さは、前記第二立壁部の高さより大きく、
　前記収納トレイは、前記第一立壁部が前記第二立壁部より前方側に位置するように配置された第一状態と、前記第二立壁部が前記第一立壁部より前方側に位置するように配置された第二状態と、を切り替えて前記キャビネット本体に設置することが可能であり、
　前記固定部は、前記収納トレイが第一状態である際でも、前記収納トレイが第二状態である際でも、前記キャビネット本体に対して着脱自在に固定可能であり、
　前記被固定部は、前記側壁の前端側に設けられた第一被固定部と、前記第一被固定部よりも後方側に設けられた第二被固定部と、を有し、
　前記固定部は、前記第一状態の場合に前記第二被固定部に対応する位置で前記第二立壁部側に向けて開口する第一横嵌合部と、前記第二状態の場合に前記第二被固定部に対応する位置で前記第一立壁部側に向けて開口する第二横嵌合部と、を有し、
　前記収納トレイは、
　　前記第一状態の場合には、後方側では前記第一横嵌合部が前記第二被固定部に嵌合するとともに、前方側では前記底面部が前記第一被固定部に支持され、
　　前記第二状態の場合には、後方側では前記第二横嵌合部が前記第二被固定部に嵌合するとともに、前方側では前記底面部が前記第一被固定部に支持されることを特徴とする洗面キャビネット。」
 
本件訂正発明２
「【請求項２】（削除）」
本件訂正発明３
「【請求項３】（削除）」
本件訂正発明４
「【請求項４】（削除）」
本件訂正発明５
「【請求項５】
　前記底面部の一端側から下方へ向かって立設された第三立壁部と、
　前記底面部の他端側から下方へ向かって立設された第四立壁部と、をさらに備え、
　前記第三立壁部及び前記第四立壁部との間に、前記固定部が配置されることを特徴とする請求項１に記載の洗面キャビネット。」
本件訂正発明６
「【請求項６】（削除）」
本件訂正発明７
「【請求項７】（削除）」
４　取消理由通知に記載した取消理由について
（１）取消理由の概要
　訂正前の請求項１〜７に係る特許に対して、当審が令和１年８月１５日付けで特許権者に通知した取消理由の要旨は、次のとおりである。
ア　（サポート要件）　
　本件特許の請求項４に係る発明は、発明の詳細な説明に記載されたものではないから、本件特許は、特許法第３６条第６項第１号の規定に違反してされたものであり、同法第１１３条第４号に該当するから、取り消されるべきものである。
　　
イ　（明確性）
　本件特許の請求項４に係る発明は、明確でないから、本件特許は、特許法第３６条第６項第２号の規定に違反してされたものであり、同法第１１３条第４号に該当するから、取り消されるべきものである。
ウ（実施可能要件）
　本件明細書の発明の詳細な説明の記載は、本件特許の請求項４に係る発明を当業者が実施することができる程度に明確かつ十分に記載したものでないから、本件特許は、特許法第３６条第４項第１号の規定に違反してされたものであり、同法第１１３条第４号に該当するから、取り消されるべきものである。
エ（新規性）
　本件特許の請求項１、２、６及び７に係る発明は、その出願前に日本国内又は外国において、頒布された甲第１号証に記載された発明であって、特許法第２９条第１項第３号に該当し、これらの発明に係る特許は、特許法第２９条第１項の規定に違反してされたものであり、同法第１１３条第２号に該当するから、取り消されるべきものである。
オ（進歩性）
　本件特許の請求項１、２、６及び７に係る発明は、本件特許の出願前に頒布された甲第１号証に記載された発明に基いて、その出願前にその発明の属する技術の分野における通常の知識を有する者が容易に発明をすることができたものであるから、これらの発明に係る特許は、特許法第２９条第２項の規定に違反してされたものであり、同法第１１３条第２号に該当するから、取り消されるべきものである。
　また本件特許の請求項３〜５に係る発明は、本件特許の出願前に頒布された甲第１号証に記載された発明及び周知技術に基いて、その出願前にその発明の属する技術の分野における通常の知識を有する者が容易に発明をすることができたものであるから、当該発明に係る特許は、特許法第２９条第２項の規定に違反してされたものであり、同法第１１３条第２号に該当するから、取り消されるべきものである。
証拠
・引用例１：特開２００３−１４４２４９号公報（甲第１号証）
・引用例２：特開平６−２３７８２６号公報（甲第２号証）
　　　　　　（周知技術を示す文献）
・引用例３：特開２００２−３４５６０９号公報（甲第３号証）
　　　　　　（周知技術を示す文献）
・引用例４：実用新案登録第２５２００７２号公報（甲第４号証）
　　　　　　（周知技術を示す文献）
・引用例５：特開２００６−２２３５５５号公報（周知技術を示す文献）
・引用例６：実公昭６０−２４２３８号公報
　　　　　　（申立人による令和１年１２月３日提出の意見書に添付された　　　　　　　参考資料１）
・引用例７：特開２００３−５００６９号公報
　　　　　　（申立人による令和１年１２月３日提出の意見書に添付された　　　　　　　参考資料２）
・引用例８：実願昭６１−１９０２０７号（実開昭６３−９３８４０号）の　　　　　　マイクロフィルム
　　　　　　（申立人による令和１年１２月３日提出の意見書に添付された　　　　　　　参考資料３）
・引用例９：特開２００７−２９３９４号公報
　　　　　　（申立人による令和１年１２月３日提出の意見書に添付された　　　　　　　参考資料４）
・引用例１０：特開平１０−２８６１３５号公報
　　　　　　（申立人による令和１年１２月３日提出の意見書に添付された　　　　　　　参考資料５）
・引用例１１：株式会社ＬＩＸＩＬ「ミラーキャビネット　ＭＬ１シリーズ　　　　　　　、ＭＸ１シリーズ　取扱説明書」（甲第８号証）
（２）各証拠の記載
ア　引用例１　
　本件特許の出願前に頒布された刊行物である引用例１（甲第１号証）には、図面と共に次の事項が記載されている。（下線は当審において付した。以下、他の引用例について同じ。）　
（ア）「【０００１】
【発明の属する技術分野】
本発明は、化粧台本体の収納空間を蓋うスイング式の扉の内面に、着脱自在の小物入れを装着した洗面化粧台
・・・（中略）・・・　　
【０００３】
【発明が解決しようとする課題】洗面化粧台の収納扉の裏面に装着される小物入れにおいて、該小物入れの深さが浅いと、背の高い小物例えば歯ブラシや化粧用ペンシルを該小物入れにいれても十分に収納されず収納扉の開閉時に該小物が小物入れから落ちてくるという問題があり、一方、小物入れの深さを深くすると、背の低い小物例えば棒状口紅が該小物入れから出しにくい、という問題があった。本発明はかかる問題点を解決した洗面化粧台を提供することを課題とする。」
（イ）「【０００９】
【発明の実施の形態】以下、図面を参照して本発明の洗面化粧台の好ましい実施の形態について説明する。図１乃至図６は、本発明の第一実施例を示すものである。先ず、本発明の洗面化粧台の全体を示す図６を参照して説明する。図において、１は
化粧台本体で中央の鏡１２の両側部に設けた収納空間１１、１１に、スイング式の扉が開閉自在に設けられている。図６において、左側の扉１３は鏡板からなり、
該扉２はその表面に右側の鏡２４を設けており、扉２の内面２１の周囲には袖壁２２が形成され該内面２１に小物入れ３が着脱自在に設けられている。
該小物入れ３の両側外面３４、３４には係合部３５、３５が形成されており、該扉２の両側の袖壁２２、２２の内面には係合部２３、２３が形成されており、該小物入れ３の係合部３５、３５と該扉２の係合部２３、２３とを該扉２の内面２１に直交する方向に摺動自在に係合させている。
【００１０】
小物入れ３の係合部３５は突条３５１の上下のそれぞれに山形突起３５２を間隔をおいて２個形成したものである。扉２の袖壁２２に設けた係合部２３は係合溝２３１の上下のそれぞれに山形凹部２３２を間隔をおいて２個形成したものである。該それぞれの係合部２３、３５が係合又は離脱するとき双方の係合部２３、３５又は一方の係合部２３又は係合部３５が弾性変形をする。かくして、該双方の係合部２３、３５の係合状態が安定するのである。
【００１１】
小物入れ３はその前面壁３２の該開口周縁３１までの高さｈに対して該小物入れ３の後面壁３３の該開口周縁３１までの高さＨを大きくしている。
小物入れ３を扉２の内面２１に装着するとき、該小物入れ３の前後を反転させて、該小物入れ３の前面壁３２を該扉２の内面２１に対向させて装着する場合と、小物入れ３の後面壁３３を該扉２の内面２１に対向させて装着する場合とを必要に応じて選択することができる。
（ウ）「【００１４】
【発明の効果】請求項１に記載した洗面化粧台は、化粧台本体１に設けた収納空間１１を開閉自在に蓋うスイング式の扉２の内面２１に、上端部が開口周縁３１で形成される開口部とした小物入れ３を着脱自在に装着した洗面化粧台において、該小物入れ３の前面壁３２の該開口周縁３１までの高さｈに対して該小物入れ３の後面壁３３の該開口周縁３１までの高さＨを大きくするとともに、該小物入れ３の前面壁３２と後面壁３３とのいずれか一方が該扉２の内面２１に選択的に対向するよう該小物入れ３を該扉２の内面２１に装着したから、小物入れ３に入れる小物３６の高さ寸法に応じて小物入れ３の装着態様を替えることにより小物入れ３に入れた小物３６の出し入れを円滑に行うことができる。」
（エ）上記（イ）、下記図１及び図５から、
引用例１における小物入れ３には、物品が載置可能な底面部がある
ａ　図１
ｂ　図５
（オ）上記（イ）及び下記図６から、
スイング式の扉２は、互いに対面する左右の袖壁を有する
化粧台本体１の収納空間１１は、互いに対面する側壁を有する
　また、図６からみて、前記収納空間１１を蓋うスイング式の扉２は、前記側壁の前側に開閉自在に支持されることが看て取れる。
図６
（カ）上記（ア）〜（オ）からみて、引用例１には、以下の発明（以下「引用発明１」という）が記載されているものと認められる。　
「小物入れ３と、中央の鏡１２の両側部に互いに対面する側壁を有する収納空間１１を設けた化粧台本体１と、前記収納空間１１の前記側壁の前側に開閉自在に支持されて前記収納空間１１を蓋い、その表面に鏡２４が設けられるとともにその内面の周囲には袖壁が形成され、前記内面に小物入れ３が着脱自在に設けられるスイング式の扉２とを備える洗面化粧台であって、
　前記小物入れ３は底面部を有し、その前面壁の該開口周縁までが高さｈであり、該小物入れ３の後面壁の該開口周縁までが高さＨであって、前記高さｈに対して、前記高さＨを大きくしており、
　前記小物入れ３の両側外面には、突条の上下のそれぞれに山形突起を間隔をおいて２個形成した係合部３５が形成されており、前記扉２の両側の袖壁の内面には係合溝の上下のそれぞれに山形凹部を間隔をおいて２個形成した係合部２３が形成されており、前記小物入れ３の係合部３５と前記扉２の係合部２３とを該扉２の内面に直交する方向に摺動自在に係合させて、前記それぞれの係合部２３、３５が係合又は離脱するとき双方の係合部２３、３５又は一方の係合部２３又は係合部３５が弾性変形をして、前記双方の係合部２３、３５の係合状態が安定するものであり、
　前記スイング式の扉２の内面に前記小物入れ３を着脱自在に装着するものであり、前記小物入れ３を前記扉２の内面に装着するとき、前記小物入れ３の前後を反転させて、前記小物入れ３の前面壁を前記扉２の内面に対向させて装着する場合と、前記小物入れ３の後面壁を前記扉２の内面に対向させて装着する場合とを必要に応じて選択することができる洗面化粧台。」
イ　引用例２　
　本件特許の出願前に頒布された刊行物である引用例２（甲第２号証）には、図面と共に次の事項が記載されている。
（ア）「【０００１】
【産業上の利用分野】本発明は、陳列棚等の棚板装置に係わり、更に詳しくは店舗用の商品陳列棚や整理棚の棚板を前後反転させて取付可能とし、棚板の前後縁部の異なる機能を選択して利用することが可能な陳列棚等の棚板装置に関する。」
（イ）「【００１０】
【実施例】次に添付図面に示した実施例に基づき更に本発明の詳細を説明する。図１〜図５は本発明の陳列棚等の棚板装置の代表的実施例を示し、図中１は棚板、２は陳列棚本体の支柱、３はブラケット、４は棚受具をそれぞれ示している。
【００１１】
前記棚板１は、前後縁部の一方をデザイン優先部Ａとし、他方を機能優先部Ｂとしたものであり、前記支柱２にブラケット３及び棚受具４からなる支持手段を用いて前後反転させて取付けることを可能となしたものである
（ウ）「【００１７】
前記ブラケット３は、
先端に上向き突起１３を形成し、
【００１８】
前記棚板１は、
下面の両側部の前後部に前記ブラケット３の突起１３が嵌入し得る直径を有する係合孔１４，…を穿設し、デザイン優先部Ａの端縁からそれに近接する係合孔１４までの距離Ｌ１と機能優先部Ｂの端縁からそれに近接する係合孔１４までの距離Ｌ２を一致させ、対角位置にある一対の係合孔１４，１４は１８０°回転対称な位置に設定している。更に、本実施例では、それぞれの係合孔１４の内方位置に別の係合孔１５，…を前記同様な位置関係を有するように穿設し、ブラケット３を取付ける支柱２，２の間隔の変化により、あるいは係止孔１１を２列設けた場合において外側の列又は内側の列の係止孔１１を選択してブラケット３を取付ける場合において、係合孔１４，…又は係合孔１５，…を選択することが可能となっている。
【００１９】
前記棚受具４は、
基体１６の
上部に前記棚板１の係合孔１４
に抜け止め係合する係合突部１７を突設する
【００２０】そして、
前記ブラケット３及び棚受具４からなる支持手段を用いて前記棚板１を支持するには、
後方の係合孔１４に、
係合突部１７を抜け止め係合するとともに、
前方の係合孔１４に前記ブラケット３の先端に形成した上向き突起１３を嵌入
棚板１の取付状態とは前後逆の取付状態である図２に示した場合も同様に支持することが可能
【００２１】尚、前記機能優先部Ｂとして、棚板１の前後一側縁部を上方に延設して当止部を形成すれば、棚板１に載置した物品の落下を防止する機能を備え、その一方、棚板１は前後縁部の厚みが異なる側面視倒Ｌ字形となってデザイン的にも前後縁部が異なるものとなる。更に、棚板１の前後縁部の一方を斜面となし、他方を側面視半円形となして、前後縁部のデザインが異なるものとし、斜面には見出し等の機能を付与することも可能である。
【００２２】
【発明の効果】以上にしてなる本発明の陳列棚等の棚板装置は、立設した支柱間に棚板を前後反転させて取付けることが可能な支持手段にて、目的に応じてデザイン優先部又は機能優先部を前側又は後側に設定して取付けて使用することが可能であるので、使用態様の多様性を実現できる。そして、デザイン優先部を前側に設定した場合には、陳列棚等の外観性を高める得るとともに、後側の機能優先部に衝立部材や仕切部材を装着して使用でき、一方、機能優先部を前側に設定した場合には、前側に衝立部材や仕切部材を装着して使用でき、見出し機能を衝立部材に付与して使用することもできるのである。」
（エ）上記（ア）〜（ウ）からみて、引用例２には、以下の事項（以下「引用例２記載事項」という。）が記載されているものと認められる。
「デザイン優先部Ａの縁部と機能優先部Ｂの縁部を有する棚板を、支柱にブラケット及び棚受具からなる支持手段を用いて前後反転させて取付けることを可能となした棚板装置において、前記ブラケットの先端に形成した上向き突起及び前記棚受具の基体の上部に突設した係合突起にそれぞれ固定可能な係合孔が前記棚板の下面の前後部に形成され、前記係合孔は前記棚板の前側の端縁からそれに近接する係合孔までの距離Ｌ１と後側の端縁からそれに近接する係合孔までの距離Ｌ２を一致させ、対角位置にある一対の係合孔は１８０°回転対称な位置に設定しており、前記棚板の下面に形成した係合孔のうち、後方の係合孔に前記棚受具の前記係合突部を抜け止め係合するとともに、前方の係合孔に、前記ブラケットの前記上向き突起を嵌入した取付状態と、当該取付状態とは前後逆の取付状態とが可能な棚板装置。」
ウ　引用例３　
　本件特許の出願前に頒布された刊行物である引用例３（甲第３号証）には、図面と共に次の事項が記載されている。
（ア）「【０００１】
【発明の属する技術分野】本発明は、デパートやスーパーマーケット等で使用される棚装置、特に衣料品の陳列に適した棚装置に関する。」
（イ）「【０００４】本発明は、上述の問題点に鑑み、陳列する商品に応じて、棚板の形状や機能を容易に選択及び変更して、様々な態様で使用することができ、もって利用目的の多様化を図ることができ、特に衣料品等の陳列に好適な棚装置を提供することを目的としている。
【０００５】
【課題を解決するための手段】本発明によると、上記課題は、次のようにして解決される。
（１）左右の支柱の前面に、左右１対のブラケットを等高となるように係止し、両ブラケットに、
平板の前縁に折曲片を設けた棚板を、上下に反転させる
【０００６】（２）左右の支柱の前面に、左右１対のブラケットを等高となるように係止し、両ブラケットに、
平板の前縁と後縁とに
第１の折曲片と第２の折曲片とを設けた棚板を
前後に反転させ
（ウ）「【００２０】
棚板(３)の平板(９)における左右両端部には、前後１対の係合孔(８)が穿設されている。平板(９)の前端から前部の係合孔(８)までの距離と、平板(９)の後端から後部の係合孔(８)までの距離は等しく、かつこれらの２個の係合孔(８)の位置は、ブラケット(４)の２個のねじ孔(７)と整合するものとしてある。
【００２１】
各係合孔(８)に、ねじ孔(７)に螺合した有頭ねじ(12)のピン状の頭部(12a)を嵌合することにより、棚板(３)は、
前後の向きを変えて、
左右のブラケット(４)に装着する
（エ）「【００２５】図５は、棚板(３)を、図２に示す状態から前後の向きを反転して、ブラケット(４)に取り付けた状態を示している。」
（オ）「【００２８】
有頭ねじ(１２)を通常の止めねじとして、棚板(３)をブラケット(４)にねじ止めしたり、または、棚板(３)の上下面にピンを突設して、その上下いずれかのピンを、ブラケット(４)の水平部分(５)に穿設した係合孔に嵌合するようにしてもよい。
【００２９】
【発明の効果】請求項１記載の発明によれば、１枚の棚板で、折曲片が上向きと下向きの２態様で商品を陳列することができ、陳列商品の区分、品名等を貼付、表示できる折曲片を、棚板の取り付け高さ位置に応じて、顧客に見やすい位置とすることができるとともに、折曲片が上向きの場合、これを商品の前方への落下防止に役立てることができる。また、折曲片の形成は、棚板の補強効果にも寄与する。
【００３０】請求項２記載の発明によれば、第１の折曲片が前縁に位置して上方を向く態様と、同じく下方を向く態様と、第２の折曲片が前縁に位置して上方を向く態様と、同じく下方を向く態様との４態様で商品を陳列することができるので、使い勝手がよく、しかも棚板の前後に折曲片があるので棚板の補強効果が大である。第１または第２の折曲片を前端に上向きとした場合、商品の前方への落下防止に役立てることができる。」
（カ）上記（ア）〜（オ）からみて、引用例３には、以下の事項（以下「引用例３記載事項」という。）が記載されているものと認められる。　
「平板の前縁と後縁に第１の折曲片と第２の折曲片を設けた棚板を前後反転させて利用可能な棚装置において、前記棚板の左右両端部に設けられる係合孔は、前記ブラケットに設けられたねじ孔に螺合した有頭ねじのピン状の頭部に嵌合することにより、前記棚板の前後の向きを変えて前記ブラケットに装着するものであり、前記棚板の前端から前部の前記係合孔までの距離と、前記の後端から後部の前記係合孔までの距離は等しく、かつこれらの２個の係合孔の位置は、ブラケットの２個のねじ孔と整合するものである棚装置において、前記棚板を前記ブラケットに装着するにあたって、前記棚板にピンを突設して、そのピンを、ブラケットの水平部分に穿設した係合孔に嵌合するようにして固定するものでもよい棚装置。」
エ　引用例４　
　本件特許の出願前に頒布された刊行物である引用例４（甲第４号証）には、図面と共に次の事項が記載されている。
（ア）「【考案の詳細な説明】
産業上の利用分野
　本考案は、棚板を有する棚架設装置に関するものである。」（第１頁左欄第７〜１０行）
（イ）「従来の技術
　従来のこの種の棚架設装置は、第３図に示すように棚板８の下面に棚受け用の凹部９を設け、この凹部９をサイドパネル１０より突出した支持ピン１０に上方より嵌合しセットしてなるものであった。
考案が解決しようとする課題
　このような従来の構成では、下方より棚板８を見た場合、
凹部９と支持ピン１０が見え、見苦しいとともに、
　本考案はこのような問題点を解決するもので、棚板の前後端部に縁材を設け、棚受けの取付部を簡単にするとともに、棚板の剛性をよくし、棚板上の物の落下をふせぐことを目的としたものである。」（第１頁左欄第１１行〜右欄第９行）
（ウ）「課題を解決するための手段
　前記課題を解決するため、本考案の
棚架設装置は
棚板の前縁と後縁の全長にわたり縁材を取り付け、前記縁材の上下端をそれぞれ棚板
下面より突出する構成
作用
　上記構成の本考案の棚架設装置は、
棚板の前後端部に
縁材を設け、前記縁材の上下端をそれぞれ棚板上面下面より突出
（エ）「図において、１はキャビネットであり、キャビネット１の両端にはサイドパネル２がそれぞれ設けられている。前記キャビネット１の上部には、
棚板
下面より突出した縁材３を両端部に有する棚板４
　上記構成において、棚板４の前後端部に設けられた縁材３の下面突出部により棚受けの当たり部を形成し、上面突出部により上部のツボ６、植木ばち７の落下防止となり、さらに棚板の剛性を縁材の取付けによりよくしている。」（第２頁左欄第１１行〜右欄第３行）
（オ）上記（イ）を踏まえると、図１から、
棚板下面より縁材を突出することにより、下方より棚板を見た場合、当該縁材の下面突出部に当たっている棚受５が見えないようになっていることが看て取れる。
　
（カ）上記（ア）〜（オ）からみて、引用例４には、以下の事項（以下「引用例４記載事項」という。）が記載されているものと認められる。
　「棚架設装置において、棚板の前後端部の下面より縁材を突出することにより、下方より棚板を見た場合、当該縁材の下面突出部に当たっている棚受が見えず、見苦しくない構造。」　　　
オ　引用例５　
　本件特許の出願前に頒布された刊行物である引用例５には、図面と共に次の事項が記載されている。
（ア）「【技術分野】
【０００１】
　本発明は、
キャビネットに設けた棚ダボに載置される棚板の構造
（イ）「【０００９】
　また、
前記棚板４は、キャビネット１に固定される固定棚１０の上面に被せられると共に、固定棚１０の上面近傍の前側及び奥側に設けられた棚ダボ２，３が棚板４の棚ダボ差込部５及び棚ダボ受け部６にそれぞれ着脱可能に差し込まれ、前記棚板４の前端部４ｂから下方に向けて固定棚１０を隠すための隠し片１１が垂設されている
棚板４の前端部４ｂから垂下する隠し片１１によって固定棚１０を覆い隠すことができるので、棚板４と固定棚１０とが一体化した外観を呈するので、見栄えが良好となり、
（ウ）「【００１８】
　次に、
棚板４を取り付けるにあたっては、図４に示すように、棚板４を後端部４ａ側が前端部４ｂ側よりも下になるような斜め姿勢にして、棚ダボ差込部５の後方Ａに開口した第１棚ダボ差込口５ｃから奥側の棚ダボ２を差し込み、さらに、棚ダボ受け部６の斜め後方下方Ｂに開口した第２棚ダボ差込口６ｃから前側の棚ダボ３を差し込む。その後、棚板４の前端部４ｂ側を下に降ろして図５に示す水平姿勢にすることで、前後の棚ダボ２，３が棚ダボ差込部５と棚ダボ受け部６とにそれぞれ引っ掛けられた状態となり、取り付け作業が完了する。なお、棚板４を取り外すときは、前記動作と逆の動座で外すことができる。」
（エ）「【００２２】
　図７及び図８は本発明の他の実施形態であり、前記実施形態の棚板４（以下「着脱棚板４」という）とは別に、キャビネット１に固定される固定棚１０を備えた場合の一例を示している。本例では固定棚１０の上面は平坦面となっている。また
固定棚１０
には、着脱棚板４を取り付けるための棚ダボ２，３がそれぞれ設けられている。
【００２３】
　しかして、着脱棚板４を固定棚１０に被せた状態で取り付けるにあたっては、前記図４と同じ方法で、着脱棚板４を後端部４ａ側が前端部４ｂ側よりも下になるような斜め姿勢にして、前後の棚ダボ２，３を棚ダボ差込部５と棚ダボ受け部６とにそれぞれ引っ掛けた状態で取り付けることができる。なお、着脱棚板４を取り外すときは、前記動作と逆の動座で外すことができる。これにより、図７に示すように、着脱棚板４を固定棚１０に被せることができ、固定棚１０を着脱棚板４として使用できるようになる。このとき、図８に示すように、棚ダボ受け部６の第２外れ防止突片６ｂと隠し片１１とが固定棚１０の前端部側の上面コーナー部にて支持されるようになり、着脱棚板４の前端部４ｂ側をそのまま固定棚１０の上に安定良く設置できるようになる。つまり、着脱棚板４は棚ダボ２，３に引っ掛けられると同時に固定棚１０でも支持される形となり、結果、着脱棚板４の上の荷物荷重が固定棚１０によって十分に受け止められる構造となり、安定した着脱棚板４の取り付け状態を確保できるものである。
【００２４】
　しかも固定棚１０の上面近傍に設けた棚ダボ２，３に着脱棚板４を取り付けることで、誰でも簡単に着脱棚板４の取り付け、取り外しができるものでありながら、着脱棚板４の上方向Ｄへの跳ね上がり防止や回転防止、さらに前方向Ｃへのずれ止めが確実となり、地震等の振動に対して簡単に落下するのを防止できるようになる。しかも、着脱棚板４を棚ダボ２，３から簡単に取り外せるので、着脱棚板４と固定棚１０との使い分けが容易となる。
また着脱棚板４の取り付け状態では、着脱棚板４の前端部４ｂから垂下する隠し片１１によって固定棚１０を覆い隠すことができるので、着脱棚板４と固定棚１０とが一体化した外観を呈するようになり、見栄えが良好になる利点もある。
【００２５】
　前記実施形態ではミラーキャビネット用の棚板４を例示したが、必ずしもこれに限らず、本発明の棚板４は、地震対策用の書棚等の家具全般にも広く適用可能である。」　
（オ）図１
（カ）図４及び図５
（キ）図８
（ク）上記（イ）、（エ）及び図８から、隠し片１１は、着脱棚板４の下に存在する「固定棚１０」を覆い隠すとともに、前記着脱棚板４の下に存在する「前側の棚ダボ３」、「第２外れ防止突片６ｂ」及び「ずれ防止突起６ｄ」も覆い隠して見栄えが良好となっているといえる。
　また、図１のように固定板１０が無い場合にも、隠し片１１は、着脱棚板４の下に存在する「前側の棚ダボ３」、「第２外れ防止突片６ｂ」及び「ずれ防止突起６ｄ」を覆い隠して見栄えが良好となっているといえる。
　そうすると、
上記着脱棚板４は、隠し片１１により当該着脱棚板４の下に存在する部材を覆い隠し、見栄えが良好となる構造
（キ）上記（ア）〜（ク）からみて、引用例５には、以下の事項（以下「引用例５記載事項」という。）が記載されているものと認められる。　
「キャビネットに設けた棚ダボに載置される着脱棚板の構造であって、棚板４を後端部４ａ側が前端部４ｂ側よりも下になるような斜め姿勢にして、棚ダボ差込部５の後方Ａに開口した第１棚ダボ差込口５ｃから奥側の棚ダボ２を差し込み、さらに、棚ダボ受け部６の斜め後方下方Ｂに開口した第２棚ダボ差込口６ｃから前側の棚ダボ３を差し込み、その後、棚板４の前端部４ｂ側を下に降ろして水平姿勢にすることで、前後の棚ダボ２、３が棚ダボ差込部５と棚ダボ受け部６とにそれぞれ引っ掛けられた状態となり、取り付け作業が完了するものであり、前記着脱棚板４の前端部４ｂから垂下する隠し片１１によって前記着脱棚板の下に存在する部材を覆い隠し、見栄えが良好となる着脱棚板の構造。」　
カ　引用例６　
　本件特許の出願前に頒布された刊行物である引用例６（参考資料１）には、図面と共に次の事項が記載されている。　
（ア）「以下本考案の実施例を第２図乃至第５図に基づき説明する。
下部に洗面台２、上方に鏡３及び収納部４ｂ等を備えた化粧棚５よりなる洗面化粧台１において、
各々の収納部４ｂ、４ｂ及び４ｃ、４ｃの対向する側板８、８に棚板載置用ダボ等を設けその上方に複数個の棚板９ｂ、９ｃを載置する
（イ）第２図
（ウ）上記（ア）及び（イ）から、引用例６には、以下の事項（以下「引用例６記載事項」という。）が記載されているものと認められる。
「下部に洗面台２、上方に鏡３及び収納部４ｂ等を備えた化粧棚５よりなる洗面化粧台１において、各々の収納部４ｂ、４ｂ及び４ｃ、４ｃの対向する側板８、８に棚板載置用ダボ等を設けその上方に複数個の棚板９ｂ、９ｃを載置する技術。」
キ　引用例７　
　本件特許の出願前に頒布された刊行物である引用例７（参考資料２）には、図面と共に次の事項が記載されている。　
（ア）「【００１５】図１に示すように、実施形態の
洗面化粧台は
カウンター２内に設けられた洗面鉢３と、カウンター２上で洗面鉢３の奥端に設けられた水栓金具４と、水栓金具４より奥端でカウンター２から垂直に立ち上がる前面パネル５と、前面パネル５より上方で壁面に固定され、上端に照明装置７をもつミラーキャビネット６とからなる。前面パネル５の表面には鏡５ａが貼着されている。
【００１６】
ミラーキャビネット６は、
中央に位置する中室６ｂと、
【００１７】図２に示すように、
中室６ｂは
左右の壁８には、図４に示すように、上下方向に適宜間隔毎にダボ穴８ｅが設けられており、左右で対をなすダボ穴８ｅにダボ９を挿入することにより、図２に示すように、棚１０、１１及び保冷保温ユニット１２が自由な高さで載置可能になっている
（イ）図１
（ウ）図２
（エ）上記（ア）〜（ウ）から、引用例７には、以下の事項（以下「引用例７記載事項」という。）が記載されているものと認められる。
「洗面化粧台は、カウンター２内に設けられた洗面鉢３と、カウンター２上で洗面鉢３の奥端に設けられた水栓金具４と、水栓金具４より奥端でカウンター２から垂直に立ち上がる前面パネル５と、前面パネル５より上方で壁面に固定され、上端に照明装置７をもつミラーキャビネット６とからなり、前面パネル５の表面には鏡５ａが貼着されており、前記ミラーキャビネット６の中室６ｂの左右の壁８には、上下方向に適宜間隔毎にダボ穴８ｅが設けられており、左右で対をなすダボ穴８ｅにダボ９を挿入することにより、棚１０、１１が自由な高さで載置可能になっている洗面化粧台。」
ク　引用例８　
　本件特許の出願前に頒布された刊行物である引用例８（参考資料３）には、図面と共に次の事項が記載されている。　
（ア）「第１図で示す固定具１は、本考案の一例であるが、
棚板７を上から押えるための上部片２と、棚受けダボ５を横方向から銜え込むための切り込み部４を持つ垂直片３の２片からなる
棚板中心線側の上方より、固定具垂直片３を側板６と棚板７との細隙に挿入し、次に上部片２を棚板上に当てながら、切り込み部４に棚受けダボ５が入りきる迄手前に移動させて
（イ）「第４図は同じ固定具１を右奥棚受けダボ５にも装着して棚板一枚の固定が完了することを示す。一般的には棚板７をやや斜めにして側板６との隙が広がる方に、左右一個ずつの固定具使用で充分であり、全ての棚受けダボへの使用、すなわち４個使いを必要としない。第５図で示す
固定具１’は本考案の別例で、垂直片に付く横型切り込み部を２個に増やして、棚受けダボ銜え込みの方向性をなくしたものである
（ウ）第２図
（エ）第４図
（オ）第５図
（カ）上記（ア）〜（オ）から、引用例８には、以下の事項（以下「引用例８記載事項」という。）が記載されているものと認められる。
「棚板７を上から押えるための上部片２と、棚受けダボ５を横方向から銜え込むための切り込み部４を持つ垂直片３の２片からなる固定具１’であって、棚板中心線側の上方より、固定具垂直片３を側板６と棚板７との細隙に挿入し、次に上部片２を棚板上に当てながら、切り込み部４に棚受けダボ５が入りきる迄手前に移動させて用いるものであり、前記垂直片に付く横型切り込み部を２個に増やして、棚受けダボ銜え込みの方向性をなくした固定具。」
ケ　引用例９　
　本件特許の出願前に頒布された刊行物である引用例９（参考資料４）には、図面と共に次の事項が記載されている。
（ア）「【０００５】
　上記課題を解決するために本発明に係る
収納棚は、前面が開口する収納部１の両内側面にダボ３ａ、３ｂを前後方向に複数設け、収納部１の両内側面間に架設される棚板２の両側面の前記ダボ３ａ、３ｂに対応する位置に前後方向に長い凹所７ａ、７ｂを形成し、各凹所７ａ、７ｂの上底面部８を前後方向に移動自在にダボ３ａ、３ｂに載置して、棚板２を収納部１内に収納した収納位置から収納部１の前面開口１ｅよりも前方に突出した突出位置まで出入自在にしたことを
（イ）「【００３２】
　また図１３の説明図に示すように
上記凹所７ａ、７ｂの下面に、下方から凹所７ａ、７ｂ内にダボ３ａ、３ｂを挿入するためのダボ挿入用開口１２と、棚板２を収納位置及び突出位置に配した際におけるダボ３ａ、３ｂの下方に位置するダボ抜け防止用横片部１３を設けても良い。
（ウ）図１３
（エ）上記（ア）〜（ウ）から、引用例９には、以下の事項（以下「引用例９記載事項」という。）が記載されているものと認められる。
「前面が開口する収納部１の両内側面にダボ３ａ、３ｂを前後方向に複数設け、収納部１の両内側面間に架設される棚板２の両側面の前記ダボ３ａ、３ｂに対応する位置に前後方向に長い凹所７ａ、７ｂを形成し、各凹所７ａ、７ｂの上底面部８を前後方向に移動自在にダボ３ａ、３ｂに載置して、棚板２を収納部１内に収納した収納位置から収納部１の前面開口１ｅよりも前方に突出した突出位置まで出入自在にした収納棚において、上記凹所７ａ、７ｂの下面に、下方から凹所７ａ、７ｂ内にダボ３ａ、３ｂを挿入するためのダボ挿入用開口１２と、棚板２を収納位置及び突出位置に配した際におけるダボ３ａ、３ｂの下方に位置するダボ抜け防止用横片部１３を設けた収納棚。」
コ　引用例１０　
　本件特許の出願前に頒布された刊行物である引用例１０（参考資料５）には、図面と共に次の事項が記載されている。
（ア）「【０００１】
【発明の属する技術分野】本発明は、
棚板その他、支持固定が必要な物を対象とした支持固定機構
（イ）「【００１６】図６は、被支持部材１００と支持具２００の別態様を示す図１に相当する図面である。図１においては、
被支持部材１００の係止用凹部１１０の絞り部１１２が開口部近傍１１１
片側にのみ絞り部１１２が設けられている。
支持具２００は、図示するように支持具本体部２４０の上部に、一方向に突出する棒状の固定用ダボ部２１０が設けられ、該固定用ダボ部２１０が設けられた支持具本体部２４０の面と隣接する側面にバネ作用体２２０が下方に向けて延設され、該バネ作用体２２０の途中の外側面上に突部が設けられて係止用突起部２２１が形成されると
支持具本体部２４０の上部に適当なスリット状孔部を穿設して、該スリット状孔部に金属製バネ作用体２２０の上端部を差し込み固定するなどの手段により、該バネ作用体２２０に係止用突起部２２１を外側向き（図６に符号Ｍで示す矢印の向き）に付勢する機能を付与することができる
（ウ）「【００２０】
【発明の効果】以上説明したことから既に明らかなように本発明においては、被支持部材例えば棚板の小口端面に設けられた係止用凹部の位置を支持具の位置に合せて下向きに単に押圧することにより、或は支持具の態様によっては
支持具の消勢用摘み部を摘みながら棚板を支持具上に載置することにより、支持具の係止用突起部を含む上半部分が棚板の係止用凹部内に嵌挿され
棚板が支持具から外れることのないように固定される。
支持具の消勢用摘み部を内側向きに摘んで棚板を上に持ち上げるだけで簡単に取りはずすことができる。
（エ）図６
（オ）上記（ア）〜（エ）から、引用例１０には、以下の事項（以下「引用例１０記載事項」という。）が記載されているものと認められる。
「支持具の消勢用摘み部を摘みながら棚板を支持具上に載置することにより、前記支持具の係止用突起部を含む上半部分が棚板の係止用凹部内に嵌挿され、棚板が支持具から外れることのないように固定されるとともに、前記支持具の消勢用摘み部を内側向きに摘んで棚板を上に持ち上げるだけで簡単に取りはずすことができるものである、棚板の支持固定機構において、棚板である被支持部材１００の係止用凹部１１０の絞り部１１２が開口部近傍１１１の片側にのみ設けられており、支持具２００は、支持具本体部２４０の上部に、一方向に突出する棒状の固定用ダボ部２１０が設けられ、該固定用ダボ部２１０が設けられた支持具本体部２４０の面と隣接する側面にバネ作用体２２０が下方に向けて延設され、該バネ作用体２２０の途中の外側面上に突部が設けられて係止用突起部２２１が形成される支持固定機構であって、支持具本体部２４０の上部に適当なスリット状孔部を穿設して、該スリット状孔部に金属製バネ作用体２２０の上端部を差し込み固定するなどの手段により、該バネ作用体２２０に係止用突起部２２１を外側向きに付勢する機能を付与することが可能な支持固定機構。」
サ　引用例１１　
　引用例１１（甲第８号証）には、図面と共に次の事項が記載されている。
　引用例１１（甲第８号証）は、下記（ア）のようにミラーキャビネットの「取扱説明書」であるから、ミラーキャビネットの購入者に対して頒布されることは明らかであるところ、下記（エ）の「２０１４年４月現在の」価格は、頒布時点の価格であって、引用例１１（甲第８号証）は、本件特許の出願前に頒布された刊行物であると推認される。
（ア）「ＬＩＸＩＬ
ＩＮＡＸ
ミラーキャビネット
ＭＬ１シリーズ
ＭＸ１シリーズ
取扱説明書」（表紙頁）
（イ）「各部のなまえ
●商品の仕様はお客さまに断り無く変更することがあります。
●図は商品の例示であり実際の商品とは異なる場合があります。
」（第２頁上方箇所）
（ウ）「棚板の着脱方法
注意
●棚ダボや棚受け奥まで確実に差し込み、棚がガタツキなどなくしっかりはまっていることを確認のうえ使用してください。
※差し込みや取付けが不十分だと、棚板や収納物が落下して破損やケガの恐れがあります。
　ＭＬ１シリーズ　多面鏡・収納付１面鏡の場合
　ＭＸ１シリーズ　多面鏡の場合
」（第１３頁第１０行〜第１４頁第１８行）
（エ）「※価格は２０１４年４月現在のものです。（税別）」（第２５頁第２行右側）
（オ）「こんな症状が見られたら、お求めの取扱店またはＬＩＸＩＬ修理受付センターに修理をご依頼ください。
」（最終頁最下部分）
（カ）上記（イ）の図から、多面鏡である３面鏡は、鏡扉、棚板を有することが看て取れる。
（キ）上記（オ）の図から、ミラーキャビネットは、水栓金具や排水金具を有する洗面器の上方に設置され、鏡・収納棚、鏡扉の蝶番（ヒンジ）を有することが看て取れる。
（ク）上記（イ）の図、（ウ）のＭＬ１シリーズの図、（オ）の図から、ＭＬ１シリーズのミラーキャビネットの収納棚は、収納棚の両側に位置する側板からダボが出ており、側板の前端側に開閉可能に鏡扉が支持されおり、収納棚には、手前に高い壁部を有し、奥に低い壁部を有する棚板が設置され、当該棚板は、下面に、開口方向が低い壁部側に向けて開口しているＬ字状の棚板奥の突起と開口方向が高い壁部側に向けて開口している弧状の手前側の突起が設けられ、本体奥のダボに棚板奥の突起を引っ掛け、手前側の突起を手前側のダボに上から下に向かってはめ込むことにより取り付け、棚板の手前側を持ち上げて取外すものであることが看て取れる。
（ケ）上記（イ）の図、（ウ）のＭＸ１シリーズの図、（オ）の図から、ＭＸ１シリーズのミラーキャビネットの収納棚は、収納棚の両側に位置する側板から棚ダボが出ており、側板の前端側に開閉可能に鏡扉が支持されおり、収納棚には、平面状の棚板が設置され、当該棚板は、棚板奥側にくる溝と棚板下面の手前の溝を有し、棚板の奥側にくる溝を奥側の棚ダボに差込み、棚板の手前の溝が手前の棚ダボに合うように棚板を手前の溝に上から下に向かってはめ込むことにより取り付けるものであることが看て取れる。
（コ）上記（ア）〜（ク）から、引用例１１には、以下の発明（以下「引用例１１発明」という。）が記載されているものと認められる。
「水栓金具や排水金具を有する洗面器の上方に設置され、鏡・収納棚、収納棚の両側に位置する側板、側板から出ているダボ、側板の前端側に開閉可能に支持された鏡扉、鏡扉の蝶番（ヒンジ）、手前に高い壁部を有し、奥に低い壁部を有するとともに、下面に、開口方向が低い壁部側に向けて開口しているＬ字状の棚板奥の突起と開口方向が高い壁部側に向けて開口している弧状の手前側の突起を有する棚板、及び、棚板が取り付けられる奥及び手前側のダボを備えるミラーキャビネットであって、前記棚板は本体奥のダボに棚板奥の突起を引っ掛け、手前側の突起を手前側のダボに上から下に向かってはめこむことにより取り付け、棚板の手前側を持ち上げて取外すものであるミラーキャビネット。」
（サ）上記（ア）〜（キ）及び（ケ）から、引用例１１には、以下の事項（以下「引用例１１記載事項」という。）が記載されているものと認められる。
「水栓金具や排水金具を有する洗面器の上方に設置され、鏡・収納棚、収納棚の両側に位置する側板、側板からでているダボ、側板の前端側に開閉可能に支持された鏡扉、鏡扉の蝶番（ヒンジ）、平面状の棚板、及び、棚板が取り付けられる奥側及び手前側の棚ダボを有するミラーキャビネットであって、前記棚板は、棚板奥側にくる溝と棚板下面の手前の溝を有し、棚板の奥側にくる溝を奥側の棚ダボに差し込み、棚板の手前の溝を手前側の棚ダボに合うように棚板を上から下に向かってはめ込むことにより取り付けるものであるミラーキャビネット。」
（３）当審の判断　
ア　サポート要件、明確性、実施可能要件の取消理由について
（ア）サポート要件、明確性、実施可能要件の取消理由は訂正前の請求項４に係る特許について通知されたものである。
　そして、本件訂正請求により請求項４は削除されており、請求項４に係る特許についての本件取消理由は、本件訂正によってその対象となる請求項が存在しないものとなった。
（イ）また、訂正前の請求項４は「前記底面部の下面に設けられ、前記収納トレイが第一状態である際に前記被固定部に固定可能な第一固定部と、前記底面部の下面に設けられ、前記収納トレイが第二状態である際に前記被固定部に固定可能な第二固定部と、を有し、」との構成を有したところ、収納トレイが第一状態である際に第一固定部が固定されている「被固定部」と、前記収納トレイが第二状態である際に第二固定部が固定されている「被固定部」が、同じ「被固定部」を指していると解することも可能であり、また、それぞれが異なる「被固定部」を指していると解することも可能であるため、上記サポート要件、明確性、実施可能要件の取消理由を有していたが、本件訂正発明１及び本件訂正発明５は上記の構成を有さないから、上記取消理由を有しないことは明らかである。
　したがって、本件訂正発明１及び本件訂正発明５は、先の取消理由通知において訂正前の請求項４について通知されたサポート要件、明確性、実施可能要件の取消理由によっては、取り消すことはできない。
（ウ）申立人は、令和１年１２月３日に提出の意見書において、「（４−３）サポート要件、明確性要件及び実施可能要件」として意見を述べているので検討する。
ａ　サポート要件について
（ａ）意見書には、「（４−３−２）サポート要件」の項において、「（４−２）訂正要件違反について」の項で述べたように、本件訂正発明１は、第一状態の場合に前方側で底面部が第一被固定部に支持され、第二状態の場合に前方では底面部が第一被固定部に支持されるとしか特定していないが、出願当初書明細書等には、第一状態で被固定部１４が第一縦嵌合部３４に挿入されて嵌合固定され、第二状態で被固定部１４が第二縦嵌合部３８に挿入されて嵌合固定される態様しか記載されておらず、本件訂正発明１で特定された範囲まで、発明の詳細な説明に記載された態様を拡張又は一般化できるとはいえない、との意見が述べられている。（意見書第７頁第８〜１７行）
（ｂ）本件特許明細書には「【発明が解決しようとする課題】【０００６】  本発明は、かかる課題の認識に基づいてなされたものであり、背の高い物品が収納された場合にも収納された物品の落下を防ぐことができる状態と、背の低い物品が収納された場合にも物品の視認性を確保することができる状態とを切り替えることができ、且つ、収納トレイ全体の高さに対して背の高い物品を収納できる収納トレイを備えたキャビネットを提供することを目的とする。」と記載されており、当該記載からみて、本件特許の発明の課題は、「背の高い物品が収納された場合にも収納された物品の落下を防ぐことができる状態と、背の低い物品が収納された場合にも物品の視認性を確保することができる状態とを切り替えることができ、且つ、収納トレイ全体の高さに対して背の高い物品を収納できる収納トレイを備えたキャビネットを提供すること」であると認められる。
（ｃ）申立人が述べるように発明の詳細な説明に被固定部が縦嵌合部に挿入され嵌合固定される態様のみが記載されているとしても、本件特許における発明の課題は上記のとおりであるところ、上記２（２）ア（イ）ｂ（ｅ）に示したように、発明の詳細な説明には、被固定部１４が第一縦嵌合部および第二縦嵌合部に嵌合することで、第一状態の場合に、前方側では収納トレイ２の底面部６「の下側」が被固定部で支持され、第二状態の場合に、前方側では収納トレイ２の底面部６「の下側」が被固定部で支持されることが記載されるとともに、上記２（２）ア（イ）ｄに示したように、第一状態で被固定部１４が第一縦嵌合部３４に挿入され嵌合固定され、第二状態で被固定部１４が第二縦嵌合部３８に挿入され嵌合固定される態様だけが、第一状態の場合に、前方側では収納トレイ２の底面部６が被固定部で支持される唯一の態様であるとの説明、あるいは、第二状態の場合に、前方側では収納トレイ２の底面部６が被固定部で支持される唯一の態様であるとの説明はなく、また、縦嵌合部がなければ収納トレイ２の底面部６が被固定部によって支持されないと解さなければならない特段の事情も見当たらない。そのため、本件特許の上記課題を解決し、「背の高い物品が収納された場合にも収納された物品の落下を防ぐことができる状態と、背の低い物品が収納された場合にも物品の視認性を確保することができる状態とを切り替える」ためには、収納トレイ２の底面部６が被固定部によって支持されれば足りると本件特許明細書から理解することができ、申立人が主張するように、さらに縦嵌合部を必須とするものではないことは当業者にとって明らかである。
（ｄ）そうすると、縦嵌合部を必須としない「収納トレイ」が、「前記第一状態の場合には、後方側では前記第一横嵌合部が前記第二被固定部に嵌合するとともに、前方側では前記底面部が前記第一被固定部に支持され、前記第二状態の場合には、後方側では前記第二横嵌合部が前記第二被固定部に嵌合するとともに、前方側では前記底面部が前記第一被固定部に支持される」本件訂正発明１及び本件訂正発明５が発明の詳細な説明に記載されているといえる。
ｂ　明確性要件について
　意見書には、「（４−３−３）明確性要件」の項において、本件訂正発明１では、収納トレイが、第一状態の場合には、後方側で第一横嵌合部が第二被固定部に嵌合し、第二状態の場合には、後方側で第二横嵌合部が第二被固定部に嵌合すると特定しているが、第一状態の場合に前方側には第二横嵌合部が存在しており、第一被固定部の固定に障害となり、第二状態の場合に前方側に第一横嵌合部が存在しており、第一被固定部への固定に障害となる。よって、前方側に第二横嵌合部又は第一横嵌合部が位置する場合、いかにして底面部を支持できるのか、不明確である、との意見が述べられている。（意見書第７頁第１９〜２８行）
　しかしながら、本件訂正発明１においては、収納トレイは、前記第一状態の場合には、後方側では前記第一横嵌合部が前記第二被固定部に嵌合するとともに、前方側では前記底面部が前記第一被固定部に支持され、前記第二状態の場合には、後方側では前記第二横嵌合部が前記第二被固定部に嵌合するとともに、前方側では前記底面部が前記第一被固定部に支持されるのであって、意見書で述べるような、第一状態の場合に前方側には第二横嵌合部が存在しており、第一被固定部の固定に障害となり、第二状態の場合に前方側に第一横嵌合部が存在しており、第一被固定部への固定に障害となることで、底面部が支持されない態様を含まないことは明らかであるから、不明確であるとはいえない。
ｃ　実施可能要件について
（ａ）意見書には、「（４−３−４）実施可能要件」の項において、本件訂正発明１は、第一状態の場合に前方側で底面部が第一被固定部に支持され、第二状態の場合に前方側で底面部が第一被固定部に支持されると特定しているが、出願当初書明細書等には、第一状態で被固定部１４が第一縦嵌合部３４に挿入されて嵌合固定され、第二状態で被固定部１４が第二縦嵌合部３８に挿入されて嵌合固定される態様しか記載されておらず、本件訂正発明１で特定された底面部を支持するための手段が、当業者が実施できる程度に記載されていない、との意見が述べられている。（意見書第８頁第１〜９行）
（ｂ）しかしながら、申立人が述べるように発明の詳細な説明に被固定部が縦嵌合部に挿入され嵌合固定される態様のみが記載されているとしても、上記ａ（ｃ）に示したように、発明の詳細な説明には、被固定部１４が第一縦嵌合部および第二縦嵌合部に嵌合することで、第一状態の場合に、前方側では収納トレイ２の底面部６「の下側」が被固定部で支持され、第二状態の場合に、前方側では収納トレイ２の底面部６「の下側」が被固定部で支持されることが記載されるとともに、第一状態で被固定部１４が第一縦嵌合部３４に挿入され嵌合固定され、第二状態で被固定部１４が第二縦嵌合部３８に挿入され嵌合固定される態様だけが、第一状態の場合に、前方側では収納トレイ２の底面部６が被固定部で支持される唯一の態様であるとの説明、あるいは、第二状態の場合に、前方側では収納トレイ２の底面部６が被固定部で支持される唯一の態様であるとの説明はなく、また、縦嵌合部がなければ収納トレイ２の底面部６が被固定部によって支持されないと解さなければならない特段の事情も見当たらないから、収納トレイ２の底面部６が被固定部によって支持される上で、縦嵌合部を必須とするものではないことは当業者にとって明らかである。
（ｃ）そうすると、発明の詳細な説明の記載は、縦嵌合部を必須としない、「収納トレイ」が、「前記第一状態の場合には、後方側では前記第一横嵌合部が前記第二被固定部に嵌合するとともに、前方側では前記底面部が前記第一被固定部に支持され、前記第二状態の場合には、後方側では前記第二横嵌合部が前記第二被固定部に嵌合するとともに、前方側では前記底面部が前記第一被固定部に支持される」本件訂正発明１及び本件訂正発明５を実施することができる程度に記載されているといえる。
ｄ　よって、サポート要件、明確性要件及び実施可能要件についての申立人の意見は採用できない。
イ　新規性及び進歩性の取消理由について
（ア）対比　
　本件訂正発明１と引用発明１とを対比する。　
ａ　引用発明１における「小物入れ３」は、本件訂正発明１における「内部に物品を収納可能な収納トレイ」に相当する。
ｂ　引用発明１における「中央の鏡１２の両側部に互いに対面する側壁を有する収納空間１１を設けた化粧台本体１」と本件訂正発明１における「互いに対面する左右の側壁を有し前記収納トレイが設置されるキャビネット本体」とは、「互いに対面する左右の側壁を有するキャビネット本体」である点で共通する。
ｃ　引用発明１における「前記収納空間１１の前記側壁の前側に開閉自在に支持されて前記収納空間１１を蓋い、その表面に鏡２４が設けられるとともにその内面の周囲には袖壁が形成され、前記内面に小物入れ３が着脱自在に設けられるスイング式の扉２」は、本件訂正発明１における「前記側壁の前端側に開閉可能に支持され前記キャビネット本体の内部空間を開放または隠蔽可能なミラー」に相当する。
ｄ　引用発明１における「中央の鏡１２の両側部に互いに対面する側壁を有する収納空間１１を設けた化粧台本体１」及び「スイング式の扉２」を備える「洗面化粧台」は、洗面化粧台の通常の構造を勘案すると、「水栓装置から吐出された水を受けるボウル部を備える洗面台」を備えるとともに、前記「化粧台本体１」及び前記「スイング式の扉２」により前記洗面台の上に洗面キャビネットが形成されることは技術常識であるから、本件訂正発明１における「水栓装置から吐出された水を受けるボウル部を備えた洗面台」及び「洗面台の上方に設置される洗面キャビネット」に相当する。
ｅ　引用発明１における「小物入れ３」が、「底面部を有し、その前面壁の該開口周縁までが高さｈであり、該小物入れの後面壁の該開口周縁までが高さＨであって、前記高さｈに対して、前記高さＨを大きく」していることは、本件訂正発明１において、「前記収納トレイ」が、「物品が載置可能な底面部と、前記底面部の一端側から上方へ向かって立設された第一立壁部と、前記底面部の他端側から上方へ向かって立設された第二立壁部と」、「を有し、前記第一立壁部の高さは、前記第二立壁部の高さより大き」いことに相当する。
ｆ　引用発明１において、「係合部３５」が小物入れ３に形成され、「係合部２３」が前記小物入れ３が装着される扉２の内面に形成されており、前記「係合部３５」と「係合部２３」とが係合して、前記小物入れ３が前記扉２の内面に装着されるものであるから、前記「小物入れ３の係合部３５」と前記「扉２の係合部２３」との関係は、「小物入れの固定部」と「小物入れが装着される部材の被固定部」という関係であるといえる。
　一方、本件訂正発明１においては、「キャビネット本体」が、「収納トレイ」を着脱自在に設置する対象である。
　そうすると、引用発明１において「前記小物入れ３の両側外面には、突条の上下のそれぞれに山形突起を間隔をおいて２個形成した係合部３５が形成されており、前記扉２の両側の袖壁の内面には係合溝の上下のそれぞれに山形凹部を間隔をおいて２個形成した係合部２３が形成されており、前記小物入れ３の係合部３５と前記扉２の係合部２３とを該扉２の内面に直交する方向に摺動自在に係合させて、前記それぞれの係合部２３、３５が係合又は離脱するとき双方の係合部２３、３５又は一方の係合部２３又は係合部３５が弾性変形をして、前記双方の係合部２３、３５の係合状態が安定するものであ」ることと、本件訂正発明１において、「前記収納トレイは」、「前記底面部の下面に設けられ前記キャビネット本体の前記側壁に設けられた被固定部に対して着脱自在に固定可能な固定部と、を有」することとは、「前記収納トレイは」、「前記収納トレイが設置される対象に設けられた被固定部に対して着脱自在に固定可能な固定部と、を有」する点で共通する。
ｇ　引用発明１において「前記スイング式の扉２の内面に前記小物入れ３を着脱自在に装着するものであり、前記小物入れを前記扉の内面に装着するとき、前記小物入れの前後を反転させて、前記小物入れの前面壁を前記扉の内面に対向させて装着する場合と、前記小物入れの後面壁を前記扉の内面に対向させて装着する場合とを必要に応じて選択することができる」ことと、
　本件訂正発明１において「前記収納トレイは、前記第一立壁部が前記第二立壁部より前方側に位置するように配置された第一状態と、前記第二立壁部が前記第一立壁部より前方側に位置するように配置された第二状態と、を切り替えて前記キャビネット本体に設置することが可能」であることとは、引用発明１における「係合部３５」による「着脱自在」な「装着」と、本件訂正発明１における「固定部」による「着脱自在」な「固定」についての上記ｆに示した共通点を勘案すると、
「前記収納トレイは、前記第一立壁部が前記第二立壁部より前方側に位置するように配置された第一状態と、前記第二立壁部が前記第一立壁部より前方側に位置するように配置された第二状態と、を切り替えて前記収納トレイが設置される対象に設置することが可能であり、前記固定部は、前記収納トレイが第一状態である際でも、前記収納トレイが第二状態である際でも、前記収納トレイが設置される対象に対して着脱自在に固定可能であ」る点で共通する。
ｈ　そうすると、本件訂正発明１と引用発明１とは、以下の一致点及び相違点を有する。
・一致点
「内部に物品を収納可能な収納トレイと、互いに対面する左右の側壁を有するキャビネット本体と、前記側壁の前端側に開閉可能に支持され前記キャビネット本体の内部空間を開放または隠蔽可能なミラーと、を備え、水栓装置から吐出された水を受けるボウル部を備えた洗面台の上方に設置される洗面キャビネットであって、
　前記収納トレイは、
　　物品が載置可能な底面部と、
　　前記底面部の一端側から上方へ向かって立設された第一立壁部と、
　　前記底面部の他端側から上方へ向かって立設された第二立壁部と、
　　前記収納トレイが設置される対象に設けられた被固定部に対して着脱自在に固定可能な固定部と、を有し、
　前記第一立壁部の高さは、前記第二立壁部の高さより大きく、
　前記収納トレイは、前記第一立壁部が前記第二立壁部より前方側に位置するように配置された第一状態と、前記第二立壁部が前記第一立壁部より前方側に位置するように配置された第二状態と、を切り替えて前記収納トレイが設置される対象に設置することが可能であり、
　前記固定部は、前記収納トレイが第一状態である際でも、前記収納トレイが第二状態である際でも、前記収納トレイが設置される対象に対して着脱自在に固定可能である洗面キャビネット。」
・相違点１
　本件訂正発明１においては、内部に物品を収納可能な収納トレイが「前記第一立壁部が前記第二立壁部より前方側に位置するように配置された第一状態と、前記第二立壁部が前記第一立壁部より前方側に位置するように配置された第二状態と、を切り替えて」「設置することが可能」な対象が「キャビネット本体」であるとともに、キャビネット本体の「側壁」に「被固定部」が設けられ、当該「被固定部」が、「前記側壁の前端側に設けられた第一被固定部と、前記第一被固定部よりも後方側に設けられた第二被固定部と」、を有するのに対して、
　引用発明１においては、小物入れ３が「前後を反転させて」設置される対象が「スイング式の扉２」であるとともに、スイング式の扉２の内面に形成された係合部２３は、前記側壁の前端側に設けられた第一被固定部と、前記第一被固定部よりも後方側に設けられた第二被固定部を有することが特定されていない点。
・相違点２
　本件訂正発明１においては、「固定部」が、収納トレイの「底面部の下面」に設けられるとともに、「前記固定部は、前記第一状態の場合に前記第二被固定部に対応する位置で前記第二立壁部側に向けて開口する第一横嵌合部と、前記第二状態の場合に前記第二被固定部に対応する位置で前記第一立壁部側に向けて開口する第二横嵌合部と」、を有し、前記「収納トレイ」は、前記第一状態の場合には、後方側では前記第一横嵌合部が前記第二被固定部に嵌合するとともに、前方側では前記底面部が前記第一被固定部に支持され、前記第二状態の場合には、後方側では前記第二横嵌合部が前記第二被固定部に嵌合するとともに、前方側では前記底面部が前記第一被固定部に支持される」のに対して、
　引用発明１においては、小物入れ３の両側外面に係合部３５が形成されるとともに、前後を反転させて装着できる小物入れ３は、係合部２３及び係合部３５が係合することにより設置される点。
（イ）判断
ａ　新規性について
　上記のように本件訂正発明１と引用発明１とは相違点を有するから同一であるとはいえない。
　また、本件訂正発明５は、本件訂正発明１の全ての発明特定事項を含むものであるから、本件訂正発明１と同様に、引用発明１と同一であるとはいえない。
　したがって、本件訂正発明１及び本件訂正発明５は、引用例１に記載された発明ではない。
ｂ　進歩性について
　事案に鑑み、相違点２について検討する。  
　引用例２〜１１のいずれにも、「固定部」が、収納トレイの「底面部の下面」に設けられるとともに、「前記固定部は、前記第一状態の場合に前記第二被固定部に対応する位置で前記第二立壁部側に向けて開口する第一横嵌合部と、前記第二状態の場合に前記第二被固定部に対応する位置で前記第一立壁部側に向けて開口する第二横嵌合部と」、を有し、前記「収納トレイ」は、前記第一状態の場合には、後方側では前記第一横嵌合部が前記第二被固定部に嵌合するとともに、前方側では前記底面部が前記第一被固定部に支持され、前記第二状態の場合には、後方側では前記第二横嵌合部が前記第二被固定部に嵌合するとともに、前方側では前記底面部が前記第一被固定部に支持される」構成を備える、収納トレイ、固定部及び被固定部は、記載も示唆もされていない。
　以下、各引用例について検討する。
（ａ）まず、引用例２記載事項〜引用例７記載事項からみて、引用例２〜引用例７には、棚状部材が、第一状態において後方側の第二被固定部に嵌合する第一横嵌合部、及び、第二状態において後方側の第二被固定部に嵌合する第二横嵌合部の両者を有する技術事項が記載されていないことは明らかである。
（ｂ）引用例８記載事項においては、固定垂直片３に付く横型切り込み部を２個に増やした固定具は、棚板７に形成されたものではなく、棚板７と棚受ダボを固定するものであるから、本件訂正発明１の第一横嵌合部及び第二横嵌合部を示唆するものではない。
（ｃ）引用例９記載事項は、棚板２を収納部１内に収納した収納位置から収納部１の前面開口１ｅよりも前方に突出した突出位置まで出入自在にした収納棚であり、棚板２が有する「ダボ抜け防止用横片部１３」は、前後方向に移動自在に載置した棚板２が、収納位置又は突出位置に配された際に、載置された状態から抜けることを防止する目的で、ダボ３ａ、３ｂの下方に位置するものであるから、相違点２に係る本件訂正発明１における「第二被固定部」に「嵌合」する「第一横嵌合部」及び「第二横嵌合部」とは構成が異なる。また、引用例９記載事項における「ダボ抜け防止用横片部１３」を引用発明１に適用する動機付けもない。
（ｄ）引用例１０記載事項においては、被支持部材１００の係止用凹部１１０の絞り部１１２が開口部近傍１１１の片側にのみ絞り部１１２が設けられているが、前記絞り部がどのような向きに形成されるかは記載されておらず、また、前記係止用凹部１１０は、支持具の消勢用摘み部を摘みながら棚板を支持具上に載置することにより、前記支持具の係止用突起部を含む上半部分が棚板の係止用凹部内に嵌挿され、棚板が支持具から外れることのないように固定されるとともに、前記支持具の消勢用摘み部を内側向きに摘んで棚板を上に持ち上げるだけで簡単に取りはずすことができるものであって、上下に嵌挿及び取りはずしをするものであるから、本件訂正発明１における「第二立壁部側に向けて開口」し、「第一状態の場合」に「第二被固定部に嵌合」する「第一横嵌合部」、及び、「第一立壁部側に向けて開口」し、「第二状態の場合」に「第二被固定部に嵌合」する「第二横嵌合部」の両構成を開示あるいは示唆するものではない。
　なお、「支持具本体部２４０の上部に適当なスリット状孔部を穿設して、該スリット状孔部に金属製バネ作用体２２０の上端部を差し込み固定するなどの手段により、該バネ作用体２２０に係止用突起部２２１を外側向きに付勢する機能を付与する」ことは、前記係止用突起部２２１を前記支持具本体からみて外側に付勢することが記載されているのであり、前記絞り部がどのような向きに形成されるかを示唆しているとはいえない。
（ｅ）引用例１１発明には、下面に、開口方向が低い壁部側に向けて開口しているＬ字状の棚板奥の突起と開口方向が高い壁部側に向けて開口している弧状の手前側の突起を有する棚板を取り付けるにあたり、本体奥のダボに棚板奥の突起を引っかけ、手前側の突起を手前側のダボに上からはめこむことは記載されているものの、前記手前側の突起は、上からはめこむものであるから、本件訂正発明１における「第二立壁部側に向けて開口」し、「第一状態の場合」に「第二被固定部に嵌合」する「第一横嵌合部」、及び、「第一立壁部側に向けて開口」し、「第二状態の場合」に「第二被固定部に嵌合」する「第二横嵌合部」の両構成を開示あるいは示唆するものではない。
　また、引用例１１記載事項には、棚板奥側にくる溝と棚板下面の手前の溝を有する棚板を取り付けるにあたり、棚板の奥側にくる溝を奥側の棚ダボに差し込み、棚板の手前の溝を手前側の棚ダボに合うように棚板を上から下に向かってはめ込むことは記載されているものの、前記手前の溝は、上から下に向かってはめ込むものであるから、本件訂正発明１における「第二立壁部側に向けて開口」し、「第一状態の場合」に「第二被固定部に嵌合」する「第一横嵌合部」、及び、「第一立壁部側に向けて開口」し、「第二状態の場合」に「第二被固定部に嵌合」する「第二横嵌合部」の両構成を開示あるいは示唆するものではない。 
（ｆ）そうすると、引用発明１における小物入れ３を前後を反転させて設置するための「小物入れ３の両側外面」に形成される「係合部３５」及び「スイング式の扉２の両側の袖壁の内面」に形成される「係合部２３」に代えて、上記相違点２に係る本件訂正発明１の構成と同様の構成を備える、収納トレイ、固定部及び被固定部を用いることは、当業者が容易に想到し得たことであるとはいえず、上記相違点２に係る本件訂正発明１の構成を当業者が容易に想到することができたということはできない。
　したがって、他の相違点について検討するまでもなく、本件訂正発明１は、引用発明１及び周知技術に基いて、当業者が容易に発明をすることができたものということはできない。
（ウ）申立人の意見について
　申立人は、令和１年１２月３日に提出した意見書において、「（４−４）新規性及び進歩性」について意見を述べており（意見書第８頁第１１行〜第１４頁第１０行）、本件訂正発明１と引用例１（甲第１号証）とを対比し、固定部及び被固定部に関する相違点として、下記相違点（ｉｉ）を示している。
・相違点（ｉｉ）
　本件訂正発明１では、被固定部が側壁の前端側の第一被固定部と後端側の第二被固定部を有し、固定部が、各立壁側に開口する第一横嵌合部及び第二横嵌合部を有してそれぞれ後端側の被固定部に嵌合する点。
　そして申立人は、上記相違点（ｉｉ）について、引用例８（参考資料３）、引用例９（参考資料４）、引用例１０（参考資料５）引用例１１（甲第８号証）を例示し、被固定部が側壁の前端側の第一被固定部と後端側の第二被固定部を有し、固定部が、前端又は後端側に開口する第一横嵌合部及び第二横嵌合部を有して後端側の被固定部に嵌合し、前端側の被固定部に支持されることは従来周知であると述べた上で、相違点（ｉｉ）に係る発明特定事項は従来周知であって当業者が容易に採用しうる設計的事項にすぎず、その作用効果も引用発明１及び周知技術に基いて当業者が予測できる範囲のものであると述べている。
　しかしながら、本件訂正発明１における固定部及び被固定部は、被固定部が前方側の第一被固定部と後方側の第二被固定部と有したうえで、固定部が「第二立壁部側に向けて開口」し、「第一状態の場合」に「第二被固定部に嵌合」する「第一横嵌合部」、及び、「第一立壁部側に向けて開口」し、「第二状態の場合」に「第二被固定部に嵌合」する「第二横嵌合部」の両者を有することにより、第一状態と第二状態とにおける固定をいずれも可能とするものであるから、本件訂正発明１と引用発明１との相違点は、上記（ア）において相違点１及び相違点２として認定したとおりに認定されるべきものである。
　そして、上記相違点２に関して、引用例８（参考資料３）、引用例９（参考資料４）、引用例１０（参考資料５）、及び、引用例１１（甲第８号証）のいずれも、棚状部材が、第一状態において後方側の第二被固定部に嵌合する第一横嵌合部、及び、第二状態において後方側の第二被固定部に嵌合する第二横嵌合部の両者を備えることを示唆するものでもないことは、上記（イ）ｂ（ｂ）〜（ｅ）において示したとおりである。
　したがって、相違点２については、上記上記（イ）ｂにおいて判断したとおりである。
　よって、申立人の意見は採用できない。
（エ）本件訂正発明５について
　本件訂正発明５は、本件訂正発明１の全ての発明特定事項を含むものであるから、本件訂正発明１と同じ理由により、引用文献１に記載された発明ではなく、また、当業者であっても、引用発明１及び周知技術に基いて容易に発明できたものとはいえない。
５　取消理由通知において採用しなかった特許異議申立理由について
（１）特許異議申立理由の概要
　取消理由通知において採用しなかった特許法第２９条第１項第２号及び第２項に関する特許異議申立理由、並びに、特許法第３６条第４項第１号に関する特許異議申立理由の要旨は、次のとおりである。
ア　本件特許の請求項１〜５に係る発明（以下「本件特許発明１」等という。）は、甲第７号証〜甲第１２号証に基づく公然実施された発明である。
イ　本件特許発明１〜５は、甲第８号証に記載された発明に基いて、当業者が容易に発明をすることができたものである。
ウ　本件特許発明７は、発明の詳細な説明に当業者が容易に実施できる程度に記載されていない。
（２）証拠
・甲第７号証：株式会社ＬＩＸＩＬ「ＬＵＭＩＳＩＳ」カタログ　２０１４年３月発行
・甲第８号証：株式会社ＬＩＸＩＬ「ミラーキャビネット　ＭＬ１シリーズ、ＭＸ１シリーズ　取扱説明書」　
・甲第９号証：株式会社ＬＩＸＩＬ「ＬＵＭＩＳＩＳ」カタログ　２０１８年３月発行
・甲第１０号証：陳述書
・甲第１１号証：「ミラーキャビネット　ＭＬ４シリーズ」実物写真
・甲第１２号証：「ミラーキャビネット　ＭＬ４シリーズ」実物動画の一部抜粋（静止画）
・甲第１３号証：「ミラーキャビネット　ＭＬ４シリーズ」実物動画（ＣＤ−ＲＯＭ）
（３）各証拠の記載
ア　甲第７号証
　本件特許が公然実施された発明であることを立証するために提出された甲第７号証には、以下の記載がある。
（ア）「ＬＩＸＩＬ
ＩＮＡＸ
洗面化粧台
ルミシス
ＬＵＭＩＳＩＳ
２０１４年４月２８日受注開始
２０１４．３」（表紙）
（イ）「
２．ミラーもキャビネットも、カウンターも
壁から壁へピッタリサイズのオーダーを可能に。
間口２ｍｍ単位のカウンター、間口調整材付のキャビネットで
高級ホテルのパウダールームのように
壁から壁にすき間なく納まる洗面化粧台がつくれます。」（第１１頁上方側写真及び下方箇所側説明文）
（ウ）「３・４・５面鏡のミラー裏は、すべて収納スペース
多面鏡の収納裏は、たっぷり収納できる空間を確保。６０ｍｍ刻みで棚板位置を変えることができ、収納物の高さに合わせて、効率よく収納することができます。
」（第３７頁下方箇所）
（エ）上記（ウ）からみて、３・４・５面鏡のミラーの裏の収納空間内には、丸洗いできるアルミ棚が棚板として設置されていることが看て取れる。
（オ）「プランニングガイド　品番の見方
・本体品番は、「基本品番」と「詳細仕様品番」から構成されます。
・本体価格は、▲Ｐ．５２〜７０の「基本価格」に、下記「詳細仕様加算価格」を加算してください。（当審注：▲は右横に頂点が向く三角）
・納まりなどの条件により、○１〜○１３の記号の組合せが限られる場合があります。（当審注：○１等は、○の中に数字である。）
＊ＭＬ１−０７５３ＴＶＡＵＣ　　　ＭＷＥＡＡ／ＬＤＫ
　基本品番　　　　　　　　　　　　詳細仕様品番
」（第５０頁冒頭部）
（カ）「２０１４．３．１０発行」（最終頁右下）
（キ）上記（ア）〜（カ）からみて、以下の事項が認められる。
「キャビネットの３・４・５面鏡のミラーの裏の収納空間内に丸洗いできるアルミ棚が棚板として設置されている、品番がＭＬ１−０７５３ＴＶＡＵＣのように表示されるミラーキャビネットを備えるＬＵＭＩＳＩＳ洗面化粧台について、２０１４年４月２８日に受注が開始されることが２０１４年３月１０日発行のカタログに掲載されたこと。」
イ　甲第８号証
　本件特許が公然実施された発明であることを立証するために提出された甲第８号証には、引用例１１（甲第８号証）として上記４（２）サに示した記載に加え、下記の事項が記載されている。
（ア）「品番を調べる
本体に貼ってあるラベルを見る
下図の位置に貼られている品番表示ラベルをご確認ください。
」（第１頁上部箇所）
（イ）引用例１１（甲第８号証）は、ミラーキャビネットの「取扱説明書」であるから、ミラーキャビネットの購入者に対して頒布されることは明らかであるところ、上記４（２）サ（エ）の「２０１４年４月現在の」価格は、頒布時点の価格であると推認されることから、２０１４年４月には、当該ミラーキャビネットの販売の申出が行われていたことが推認できる。
（ウ）上記４（２）サに示した記載、上記（ア）及び（イ）から、以下の事項が認められる。
「水栓金具や排水金具を有する洗面器の上方に設置され、鏡・収納棚、収納棚の両側に位置する側板、側板から出ているダボ、側板の前端側に開閉可能に支持された鏡扉、鏡扉の蝶番（ヒンジ）、手前に高い壁部を有し、奥に低い壁部を有するとともに、下面に、開口方向が低い壁部側に向けて開口しているＬ字状の棚板奥の突起と開口方向が高い壁部側に向けて開口している弧状の手前側の突起を有する棚板、及び、棚板が取り付けられる奥及び手前側のダボを備え、品番がＭＬ１−３ＴＶＡＵのように表示されるＭＬ１シリーズのミラーキャビネットであって、前記棚板は本体奥のダボに棚板奥の突起を引っ掛け、手前側の突起を手前側のダボに上から下に向かってはめこむことにより取り付け、棚板の手前側を持ち上げて取外すものであるミラーキャビネットが、２０１４年４月に販売の申出が行われていたこと。」
ウ　甲第９号証
　本件特許が公然実施された発明であることを立証するために提出された甲第９号証には、以下の記載がある。
（ア）「ＩＮＡＸ
洗面化粧台
ＩＮＡＸ　ルミシス
ＬＵＭＩＳＩＳ
ＬＩＸＩＬ　Ｌｉｎｋ　ｔｏ　Ｇｏｏｄ　Ｌｉｖｉｎｇ
２０１８．４」（表紙）
（イ）「多面鏡のミラー裏は、すべて収納スペース
多面鏡の収納裏は、たっぷり収納できる空間を確保。６０ｍｍ刻みで棚板位置を変えることができ、収納物の高さに合わせて、効率よく収納することができます。
」（第３８頁下方箇所）
（ウ）プランニングガイド／品番の見方　ボウル一体タイプ
ミラーキャビネット品番
品番は「基本品番」と「詳細仕様品番」から構成されます。
＊ＭＬ４−０７５３ＴＶＡＵＣ　　　ＭＷＥＡＡ／ＬＤＫ
　基本品番　　　　　　　　　　　　詳細仕様品番
　　　　ミラーキャビネット品番」（第９０頁第１〜６行）
（エ）「●表示価格は２０１８年３月現在のメーカー希望小売価格です。商品のみの価格で、取付費・工事費などは別途となります。」（最終頁下から５行）
（オ）上記（イ）の「丸洗いできるアルミ棚」の画像からは、当該アルミ棚の下部に固定部が存在することを看て取ることはできない。
（カ）上記（ア）及び（エ）の記載からみて、甲第９号証に係る「ＩＮＡＸ・ＬＩＸＩＬの洗面化粧台ＬＵＭＩＳＩＳ」は、２０１８年４月の時点で販売の申出がされたものと推認できる。
（キ）上記（ア）〜（カ）から、以下の事項が認められる。
「２０１８年４月の時点で販売の申出がされた、ＩＮＡＸ・ＬＩＸＩＬの洗面化粧台ＬＵＭＩＳＩＳは、基本品番にＭＬ４を含むミラーキャビネットを備え、ミラーキャビネットの多面鏡のミラーの裏の収納内には、丸洗いできるアルミ棚が棚板として設置されていること。」
エ　甲第１０号証
　本件特許が公然実施された発明であることを立証するために提出された甲第１０号証には、以下の記載がある。　
（ア）「陳述書
令和１年６月１７日
株式会社ＬＩＸＩＬ　田所淳
１．私は、平成１８年４月より、株式会社ＩＮＡＸ（現・株式会社ＬＩＸＩＬ）において、主に洗面化粧台の技術・製品開発の業務に携わってきました。
２．本件異議申立に係るミラーキャビネットは、株式会社ＬＩＸＩＬが２０１４年４月に、商品名「ＬＵＭＩＳＩＳ］、品番「ＭＬ１　シリーズ」として販売を開始したものであり、その後も販売を継続し、２０１８年度にはＭＬ４シリーズとして販売しています。
３．私は、当該「ＬＵＭＩＳＩＳ］におけるミラーキャビネットの設計について、２０１４年度のＭＬ１シリーズから２０１８年度のＭＬ４シリーズに至るまで、継続してその設計・仕様検討に携わってきました。
　特に、当該ミラーキャビネットの棚板については、水回りに用いるものであり、また暗色のキャビネット本体に対して美観を付与するために、明色のアルミ板を用いており、好評を得ていることから、２０１４年のＭＬ１シリーズから２０１８年度のＭＬ４シリーズに至るまで仕様は変更しておらず、棚板の前後に高さが異なるフランジを設けた構造は２０１４年の販売開始以来変わるところがありません。」
（イ）上記（ア）によると、以下の事項が認められる。
「２０１４年度のＭＬ１シリーズと２０１８年度のＭＬ４シリーズのミラーキャビネットの棚板は、２０１４年のＭＬ１シリーズから２０１８年度のＭＬ４シリーズに至るまで仕様は変更しておらず、棚板の前後に高さが異なるフランジを設けた構造は２０１４年の販売開始以来変わらないこと。」
オ　甲第１１号証
　本件特許が公然実施された発明であることを立証するために提出された甲第１１号証には、以下の記載がある。
（ア）「甲第１１号証の３：棚板の高壁側を手前に配置した写真
」（第３頁）　
（イ）「甲第１１号証の４：棚板の低壁側を手前に配置した写真
」（第４頁）
　
（ウ）「甲第１１号証の５：製造番号ラベルが貼付された側板内側の写真
撮影日２０１９年５月２７日。撮影者（株）ＬＩＸＩＬ　増田将典」（第５頁）
（エ）上記（ウ）の写真からは、「品番」との表示、「ＣＭＬ４−０５２２ＴＶＴＵＤＸＸＡＸ（Ｘ）／Ｋ」との記号と「株式会社ＬＩＸＩＬ」との表示が看て取れる。
（オ）上記（ア）〜（ウ）の写真からは、棚板の下部に具体的にどのような固定部が存在するのかを明確に看て取ることはできない。
（カ）上記（ア）〜（オ）からみて、以下の事項が認められる。
「品番がＣＭＬ４−０５２２ＴＶＴＵＤＸＸＡＸ（Ｘ）／Ｋとの記号で表示される洗面化粧台ＬＵＭＩＳＩＳにおいて、棚板の高壁側を手前に配置することと、棚板の低壁側を手前に配置することが可能であること。」
カ　甲第１２号証
　本件特許が公然実施された発明であることを立証するために提出された甲第１２号証には、以下の記載がある。
（ア）「甲第１２号証（「ミラーキャビネットＭＬ４シリーズ」実物動画）の一部抜粋
甲第１２号証の１：前面を高壁側から低壁側に入れ替える動作
〇１　高壁側を前面に配置した状態から固定部を解除
（当審注：〇１は、丸の中に１。以下同様。）
（甲第１３号証の動画においては、２秒経過後の様子）
〇２　高壁側を前面に配した状態から取り外し
（甲第１３号証の動画においては、２秒経過後〇１より後の様子）
〇３　棚板の前後を入れ替え
（甲第１３号証の動画においては、４秒経過後の様子）
〇４　固定用突起をダボに係合させる
（甲第１３号証の動画においては、５秒経過後の様子）
〇５　低壁側を前面に配置した状態
（甲第１３号証の動画においては、８秒経過後の様子）
」
（イ）「甲第１２号証の２：前面を低壁側から高壁側に入れ替える動作
〇１　低壁側を前面に配置した状態から固定部を解除
（甲第１３号証の動画においては、開始直後の様子）
　　
〇２　低壁側を前面に配置した状態から取り外し
（甲第１３号証の動画においては、１秒経過後の様子）
〇３　棚板の前後を入れ替え
（甲第１３号証の動画においては、３秒経過後の様子）
〇４　固定用突起をダボに係合させる
（甲第１３号証の動画においては、６秒経過後の様子）
〇５　高壁側を前面に配置した状態
（甲第１３号証の動画においては、８秒経過後の様子）
撮影日２０１９年５月２７日。撮影者（株）ＬＩＸＩＬ　増田将典」（第１〜４頁）
（ウ）上記（ア）及び（イ）の静止画からは、棚板の下部に具体的にどのような固定部が存在するのかを明確に看て取ることはできない。
　なお、甲第１３号証の動画からも、棚板の下部に具体的にどのような固定部が存在するのかを明確に看て取ることはできない。
（エ）上記（ア）〜（ウ）から、以下の事項が認められる。
「ミラーキャビネットＭＬ４シリーズにおいて、棚板の高壁側を手前に配置した状態から、棚板の低壁側を手前に配置した状態に着脱自在に前後入れ替え可能であり、棚板の高壁側を手前に配置するときには、低壁側の固定用突起を奥側のダボに係合させてから、手前の高壁側を上方から押してはめこんで取付け、棚板の低壁側を手前に配置するときには、低壁側の固定用突起を手前側のダボに係合させてから、奥側の高壁側を上方から押してはめこんで取付けること。」
（４）当審の判断
ア　上記（１）アの異議申立理由について
　申立人は、甲第７号証〜甲第１２号証に基づき、本件特許の出願前に公然実施された発明であるＭＬ１シリーズのミラーキャビネットは、ＭＬ４シリーズのミラーキャビネットと同じ仕様の棚板を使用しており、本件特許発明１ないし５と同一であるから、本件特許は新規性を有しない旨を主張している。（申立書第２９頁第１行〜第４３頁第１５行）
　上記２のとおり、本件訂正請求による訂正が認められたので、以下、本件訂正発明１及び５が、公然実施された発明と同一であるか否かについて検討する。
（ア）甲第７号証〜甲第１３号証に基づく発明の検討
ａ　甲第７号証及び甲第８号証に基づくＭＬ１シリーズのミラーキャビネット発明の認定
　甲第７号証及び甲第８号証は、いずれも、品番がＭＬ１を含むミラーキャビネットを備える洗面化粧台が記載されており、両者は、同じＭＬ１シリーズのミラーキャビネットを備える洗面化粧台であると認められる。
　また、甲第７号証及び甲第８号証より、以下の洗面化粧台のキャビネットに係る発明（以下、「ＭＬ１シリーズ発明」という。）を認定することができる。
「水栓金具や排水金具を有する洗面器の上方に設置され、鏡・収納棚、収納棚の両側に位置する側板、側板からでているダボ、側板の前端側に開閉可能に支持された鏡扉、鏡扉の蝶番（ヒンジ）、手前に高い壁部を有し、奥に低い壁部を有するとともに、下面に、開口方向が低い壁部側に向けて開口しているＬ字状の棚板奥の突起と開口方向が高い壁部側に向けて開口している弧状の手前側の突起を有する棚板、及び、棚板が取り付けられる奥及び手前側のダボを備え、品番がＭＬ１−３ＴＶＡＵのように表示されるＭＬ１シリーズのミラーキャビネットであって、前記棚板は本体奥のダボに棚板奥の突起を引っ掛け、手前側の突起を手前側のダボに上から下に向かってはめこむことにより取り付け、棚板の手前側を持ち上げて取外すものであるミラーキャビネット。」
　そして、甲第７号証及び甲第８号証から、ＭＬ１シリーズ発明は、本件特許に係る特許出願の出願日（平成２８年２月２９日）より前に販売の申出がされていたものと認められるから、前記ＭＬ１シリーズ発明は、本件特許出願前に公然実施された発明といえる。
ｂ　次に、甲第９号証及び甲第１１号証は、いずれも、品番がＭＬ４を含むミラーキャビネットを備える洗面化粧台が記載されており、両者は、同じＭＬ４シリーズのミラーキャビネットを備える洗面化粧台であると認められる。
　また、甲第１２号証及び甲第１３号証からは、品番を看取することはできないが、甲第１２号証には、「甲第１２号証（「ミラーキャビネットＭＬ４シリーズ」実物動画）の一部抜粋」と記載されていること、及び、甲第１１号証において３つの容器状の部材が並んでいる様子が看て取れるとともに、甲第１２号証の静止画において、同様の３つの容器状の部材が並んでいる様子が看て取れることから、甲第１２号証及びその静止画の動画とされる甲第１３号証は、甲第１１号証に記載されたＭＬ４シリーズのミラーキャビネットと同一のＭＬ４シリーズのミラーキャビネットの静止画及び動画であると認められる。
　そうすると、ＭＬ４シリーズのミラーキャビネットについては、上記（３）カ（エ）で認定した甲第１２号証に記載された事項から、次の技術事項（以下、「ＭＬ４シリーズ技術事項」という。）が認められる。
「ＭＬ４シリーズのミラーキャビネットは、棚板の高い壁部側を手前に配置した状態から、棚板の低い壁部側を手前に配置した状態に着脱自在に前後入れ替え可能であり、棚板の高い壁部側を手前に配置するときには、低い壁部側の固定用突起を奥側のダボに係合させてから、手前の高い壁部側を上方から押してはめこんで取付け、棚板の低い壁部側を手前に配置するときには、低い壁部側の固定用突起を手前側のダボに係合させてから、奥側の高い壁部側を上方から押してはめこんで取付けるミラーキャビネットであること。」
ｃ　ここで、上記（３）ウ（オ）、（３）オ（オ）、（３）カ（ウ）に示したように、甲第９号証、甲第１１号証及び甲第１２号証からは、ＭＬ４シリーズのミラーキャビネットの棚板の下部に具体的にどのような固定部が存在するのか、その構造の詳細は明らかでないが、仮に、甲第１０号証に記載された主張のようにＭＬ１シリーズとＭＬ４シリーズの棚板が同じ仕様であって、ＭＬ４シリーズのミラーキャビネットとＭＬ１シリーズ発明が同一構造及び材料の「棚板奥の突起」、「手前側の突起」、「本体奥のダボ」及び「手前側のダボ」を有し、ＭＬ１シリーズ発明が、ＭＬ４シリーズのミラーキャビネットを用いて示されるのと同様に、棚板の高い壁部側を手前に配置した状態から、棚板の低い壁部側を手前に配置した状態に着脱自在に前後入れ替え可能であると仮定をした場合には、上記ＭＬ１シリーズ発明、上記ＭＬ４シリーズ技術事項、上記ａ及び上記ｂで認定した事項から、下記の「前後入替可能ＭＬ１シリーズ発明」を仮定し得る。
・前後入替可能ＭＬ１シリーズ発明
「水栓金具や排水金具を有する洗面器の上方に設置され、鏡・収納棚、収納棚の両側に位置する側板、側板からでているダボ、側板の前端側に開閉可能に支持された鏡扉、鏡扉の蝶番（ヒンジ）、手前に高い壁部を有し、奥に低い壁部を有するとともに、下面に、開口方向が低い壁部側に向けて開口しているＬ字状の棚板奥の突起と開口方向が高い壁部側に向けて開口している弧状の手前側の突起を有する棚板、及び、棚板が取り付けられる奥及び手前側のダボを備え、品番がＭＬ１−３ＴＶＡＵのように表示されるＭＬ１シリーズのミラーキャビネットであって、前記棚板は本体奥のダボに棚板奥の突起を引っ掛け、手前側の突起を手前側のダボに上から下に向かってはめこむことにより取り付け、棚板の手前側を持ち上げて取外すものであるミラーキャビネットにおいて、前記棚板の高い壁部側を手前に配置した状態から、棚板の低い壁部側を手前に配置した状態に着脱自在に前後入れ替え可能であり、棚板の高い壁部側を手前に配置するときには、低い壁部側の固定用突起を奥側のダボに係合させてから、手前の高い壁部側を上方から押してはめこんで取付け、棚板の低い壁部側を手前に配置するときには、低い壁部側の固定用突起を手前側のダボに係合させてから、奥側の高い壁部側を上方から押してはめこんで取付けるミラーキャビネット。」
（イ）本件特許出願前に公然実施されていた発明について
ａ　上記（３）エで甲第１０号証について認定したように「２０１４年度のＭＬ１シリーズと２０１８年度のＭＬ４シリーズのミラーキャビネットの棚板は、仕様は変更しておらず、棚板の前後に高さが異なるフランジを設けた構造は２０１４年の販売開始以来変わらない」という事実が認められるが、当該事実からは、ＭＬ１シリーズのキャビネットが、上記棚板の前後に高さが異なるフランジを設けた構造以外に、棚板を固定するための固定部の構造及び材料、前記棚板が取り付けられるダボの構造及び材料を含めて、棚板を固定するための固定部及び被固定部に係る構造及び材料の全てがＭＬ４シリーズのキャビネットと同一であるという事実を認めることはできず、ＭＬ４シリーズのミラーキャビネットが、棚板の高壁を手前に配置した状態から、棚板の低壁側を手前に配置した状態に着脱自在に前後入れ替え可能であるからといって、ＭＬ１シリーズ発明が、ＭＬ４シリーズと同様に、棚板の高壁を手前に配置した状態から、棚板の低壁側を手前に配置した状態に着脱自在に前後入れ替え可能であるという事実を推認するに足りない。
　また、上記４（２）サの引用例１１（甲第８号証）の記載からみて、ＭＬ１シリーズのキャビネットの棚板は、「本体奥のダボに棚板奥の突起を引っ掛け、手前側の突起を手前側のダボに上から下に向かってはめこむことにより取り付け、棚板の手前側を持ち上げて取外すもの」として説明されているという事実が認められ、この事実に照らして考えると、ＭＬ１シリーズ発明において、棚板の高壁を手前に配置した状態から、棚板の低壁側を手前に配置した状態に着脱自在に前後入れ替え可能であるという事実を推認することができず、他にＭＬ１シリーズ発明において、棚板の高壁を手前に配置した状態から、棚板の低壁側を手前に配置した状態に着脱自在に前後入れ替え可能であるという事実を認めるに足りる証拠はない。
ｂ　そうすると、ＭＬ４シリーズのミラーキャビネットが、ＭＬ１シリーズ発明と同一構造及び材料の「棚板奥の突起」、「手前側の突起」、「本体奥のダボ」及び「手前側のダボ」を有しているとも、ＭＬ１シリーズ発明が、ＭＬ４シリーズ技術事項と同様に、棚板の高い壁部側を手前に配置した状態から、棚板の低い壁部側を手前に配置した状態に着脱自在に前後入れ替え可能であるとも推認することはできないから、申立人が提出した各甲号証から上記前後入替可能ＭＬ１シリーズ発明が本件特許出願前に公然実施されていたと認めることはできない。
ｃ　よって、甲第７号証〜甲第１２号証に基づいて、本件特許の出願前に公然実施された発明として認定できるのは、上記ＭＬ１シリーズ発明である。
（ウ）本件訂正発明１及び５が前後入替可能ＭＬ１シリーズ発明と同一であるか否かについて
　上記（イ）のように、上記前後入替可能ＭＬ１シリーズ発明は、本件特許出願前に公然実施されたものとは認められないが、念のため、本件訂正発明１及び５が、上記前後入替可能ＭＬ１シリーズ発明と同一であるかどうかについて検討する。
ａ　本件訂正発明１と前後入替可能ＭＬ１シリーズ発明との対比
（ａ）前後入替可能ＭＬ１シリーズ発明における「手前に高い壁部を有し、奥に低い壁部を有する棚板」は、本件訂正発明１における「内部に物品を収納可能な収納トレイ」であって「前記収納トレイは、物品が載置可能な底面部と、前記底面部の一端側から上方へ向かって立設された第一立壁部と、前記底面部の他端側から上方へ向かって立設された第二立壁部」を有し「前記第一立壁部の高さは、前記第二立壁部の高さより大き」いことに相当する。
（ｂ）前後入替可能ＭＬ１シリーズ発明における「水栓金具や排水金具を有する洗面器の上方に設置され、鏡・収納棚、収納棚の両側に位置する側板、側板からでているダボ、側板の前端側に開閉可能に支持された鏡扉、鏡扉の蝶番（ヒンジ）、手前に高い壁部を有し、奥に低い壁部を有するとともに、下面に、開口方向が低い壁部側に向けて開口しているＬ字状の棚板奥の突起と開口方向が高い壁部側に向けて開口している弧状の手前側の突起を有する棚板、及び、棚板が取り付けられる奥及び手前側のダボを備え、品番がＭＬ１−３ＴＶＡＵのように表示されるＭＬ１シリーズのミラーキャビネット」は、本件訂正発明１における「内部に物品を収納可能な収納トレイと、互いに対面する左右の側壁を有し前記収納トレイが設置されるキャビネット本体と、前記側壁の前端側に開閉可能に支持され前記キャビネット本体の内部空間を開放または隠蔽可能なミラーと、を備え、水栓装置から吐出された水を受けるボウル部を備えた洗面台の上方に設置される洗面キャビネット」に相当する。
（ｃ）前後入替可能ＭＬ１シリーズ発明における「棚板が取り付けられる奥及び手前側のダボ」の「手前側のダボ」及び「本体奥のダボ」は、本件訂正発明１における「前記被固定部」の「前記側壁の前端側に設けられた第一被固定部」及び「前記第一被固定部よりも後方側に設けられた第二被固定部」に相当する。
（ｄ）前後入替可能ＭＬ１シリーズ発明における「棚板」が、「下面に」、「開口方向が低い壁部側に向けて開口しているＬ字状の棚板奥の突起」と「開口方向が高い壁部側に向けて開口している弧状の手前側の突起」を有し、「前記棚板の高い壁部側を手前に配置した状態から、棚板の低い壁部側を手前に配置した状態に着脱自在に前後入れ替え可能」であることは、本件訂正発明１における「収納トレイ」が「前記底面部の下面に設けられ前記キャビネット本体の前記側壁に設けられた被固定部に対して着脱自在に固定可能な固定部」を有し、「前記第一立壁部が前記第二立壁部より前方側に位置するように配置された第一状態と、前記第二立壁部が前記第一立壁部より前方側に位置するように配置された第二状態と、を切り替えて前記キャビネット本体に設置することが可能」であることに相当する。
（ｅ）前後入替可能ＭＬ１シリーズ発明における「開口方向が低い壁部側に向けて開口しているＬ字状の棚板奥の突起」は、「低い壁部側の固定用突起」であり、棚板の下面に位置し、「棚板の低い壁部側を手前に配置するとき」には「奥側のダボに嵌合」させ、当該ダボを横から引っかける構造であることは明らかであるから、本件訂正発明１における「前記第一状態の場合に前記第二被固定部に対応する位置」の「立壁部側に向けて開口する第一横嵌合部」に相当する。
（ｆ）前後入替可能ＭＬ１シリーズ発明における「開口方向が高い壁部側に向けて開口している弧状の手前側の突起」と本件訂正発明１における「前記第一立壁部側に向けて開口する第二横嵌合部」とは、「固定部材」である点で共通する。
　なお、前後入替可能ＭＬ１シリーズ発明における「手前側の突起」は、上から下にはめこむものであるから、「第二被固定部」に「嵌合」する「横嵌合部」ということはできず、棚板のいずれの側を手前に配置した場合にも、本件訂正発明１の「第二横嵌合部」に相当するものではない。
　また、前後入替可能ＭＬ１シリーズ発明において、棚板の高壁側の底面部には横嵌合部が存在しないことは、上記４（２）サに示したように、甲第８号証において、棚板の取付方法として「本体奥のダボに棚板奥の突起を引っ掛け、手前側にはめこみます」と説明し、一番右の図においては、下側の矢印「↓」とともに「手前にはめこむ」と説明していることとも整合するとともに、仮に、高壁側の底面部下に設けられた突起を奥側のダボに横から嵌合すると、低壁側の突起を上方から押してはめこもうとしても、上記低壁側の固定用突起によりはめこみが妨げられ、棚板の装着ができないと解されることとも整合する。
（ｇ）前後入替可能ＭＬ１シリーズ発明における「前記棚板は本体奥のダボに棚板奥の突起を引っ掛け、手前側の突起を手前側のダボに上から下に向かってはめこむことにより取り付け、棚板の手前側を持ち上げて取外す」とともに、「前記棚板の高い壁部側を手前に配置した状態から、棚板の低い壁部側を手前に配置した状態に着脱自在に前後入れ替え可能であり、棚板の高い壁部側を手前に配置するときには、低い壁部側の固定用突起を奥側のダボに係合させてから、手前の高い壁部側を上方から押してはめこんで取付け、棚板の低い壁部側を手前に配置するときには、低い壁部側の固定用突起を手前側のダボに係合させてから、奥側の高い壁部側を上方から押してはめこんで取付ける」ことは、前後を入れ替えてもダボ間の距離と突起間の距離は変わらず、棚板の低い壁部側を手前に配置するときには、高い壁部側の突起が、奥側のダボにはめこまれると解されるから、
　本件訂正発明１における「固定部は、前記収納トレイが第一状態である際でも、前記収納トレイが第二状態である際でも、前記キャビネット本体に対して着脱自在に固定可能であり」、「前記第一状態の場合に前記第二被固定部に対応する位置で前記第二立壁部側に向けて開口する第一横嵌合部と、前記第二状態の場合に前記第二被固定部に対応する位置で前記第一立壁部側に向けて開口する第二横嵌合部」とを有することとは、
　「固定部は、前記収納トレイが第一状態である際でも、前記収納トレイが第二状態である際でも、前記キャビネット本体に対して着脱自在に固定可能であり」、「前記第一状態の場合に前記第二被固定部に対応する位置で前記第二立壁部側に向けて開口する第一横嵌合部と、前記第二状態の場合に前記第二被固定部に対応する位置で前記第二被固定部に固定される固定部材」とを有する点で共通する。
（ｈ）前後入替可能ＭＬ１シリーズ発明における「棚板」を「本体奥のダボに棚板奥の突起を引っ掛け、手前側の突起を手前側のダボに上から下に向かってはめこむことにより取り付け」ることにより、前記棚板の底面部が手前側のダボに支持されることは明らかであるから、本件訂正発明１における「前記収納トレイ」は、「前記第一状態の場合には、後方側では前記第一横嵌合部が前記第二被固定部に嵌合するとともに、前方側では前記底面部が前記第一被固定部に支持される」ことに相当する。
（ｉ）そうすると、本件訂正発明１と前後入替可能ＭＬ１シリーズ発明とは、次の一致点及び相違点を有する。
・一致点
「内部に物品を収納可能な収納トレイと、互いに対面する左右の側壁を有し
前記収納トレイが設置されるキャビネット本体と、前記側壁の前端側に開閉可能に支持され前記キャビネット本体の内部空間を開放または隠蔽可能なミラーと、を備え、水栓装置から吐出された水を受けるボウル部を備えた洗面台の上方に設置される洗面キャビネットであって、
　前記収納トレイは、
　　物品が載置可能な底面部と、
　　前記底面部の一端側から上方へ向かって立設された第一立壁部と、
　　前記底面部の他端側から上方へ向かって立設された第二立壁部と、
　　前記底面部の下面に設けられ前記キャビネット本体の前記側壁に設けられた被固定部に対して着脱自在に固定可能な固定部と、を有し、
　前記第一立壁部の高さは、前記第二立壁部の高さより大きく、
　前記収納トレイは、前記第一立壁部が前記第二立壁部より前方側に位置するように配置された第一状態と、前記第二立壁部が前記第一立壁部より前方側に位置するように配置された第二状態と、を切り替えて前記キャビネット本体に設置することが可能であり、
　前記固定部は、前記収納トレイが第一状態である際でも、前記収納トレイが第二状態である際でも、前記キャビネット本体に対して着脱自在に固定可能であり、
　前記被固定部は、前記側壁の前端側に設けられた第一被固定部と、前記第一被固定部よりも後方側に設けられた第二被固定部と、を有し、
　前記固定部は、前記第一状態の場合に前記第二被固定部に対応する位置で前記第二立壁部側に向けて開口する第一横嵌合部と、前記第二状態の場合に前記第二被固定部に対応する位置で前記第二被固定部に固定される固定部材と、を有し、
　前記収納トレイは、
　　前記第一状態の場合には、後方側では前記第一横嵌合部が前記第二被固定部に嵌合するとともに、前方側では前記底面部が前記第一被固定部に支持される、洗面キャビネット。」
・相違点Ａ
　本件訂正発明１においては、第二状態の場合に第二被固定部に対応する位置で前記第二被固定部に固定される固定部材が、「第一立壁部側に向けて開口する第二横嵌合部」であり、収納トレイが「前記第二状態の場合には、後方側では前記第二横嵌合部が前記第二被固定部に嵌合するとともに、前方側では前記底面部が前記第一被固定部に支持される」のに対して、前後入替可能ＭＬ１シリーズ発明においては、上記固定部材が「手前側の突起」であり、「ダボに上から下に向かってはめこむことにより取り付ける」ものであって、横から嵌合する「横嵌合部」ではない点。
ｂ　判断
（ａ）本件訂正発明１について
　上記のように、本件訂正発明１と前後入替可能ＭＬ１シリーズ発明とは、相違点Ａを有するから、本件訂正発明１は、前後入替可能ＭＬ１シリーズ発明と同一であると認めることはできない。
（ｂ）本件訂正発明５について
　本件訂正発明５は、本件訂正発明１の全ての発明特定事項を含むものであるから、本件訂正発明１と同じ理由により、前後入替可能ＭＬ１シリーズ発明と同一であると認めることはできない。
（エ）本件訂正発明１及び５がＭＬ１シリーズ発明と同一であるか否かについて
　上記（イ）ｂのとおり、本件特許の出願前に公然実施された発明として認定できるのは、上記ＭＬ１シリーズ発明であるから、本件訂正発明１及び５が、上記ＭＬ１シリーズ発明と同一であるかどうかについて検討する。
ａ　本件訂正発明１について
　本件訂正発明１とＭＬ１シリーズ発明が、上記相違点Ａを有することは明らかであるから、本件訂正発明１は、ＭＬ１シリーズ発明と同一であると認めることはできない。
ｂ　本件訂正発明５について
　本件訂正発明５は、本件訂正発明１の全ての発明特定事項を含むものであるから、本件訂正発明１と同じ理由により、ＭＬ１シリーズ発明と同一であると認めることはできない。
（オ）小括
　以上のようであるから、本件訂正発明１は、前後入替可能ＭＬ１シリーズ発明と同一ではなく、また、ＭＬ１シリーズ発明とも同一ではないから、いずれにしても、本件訂正発明１が本件特許出願前に公然実施されていた発明であると認めることはできない。
　また、本件訂正発明５も、本件訂正発明１と同じ理由により、その出願前に公然実施された発明であると認めることはできない。
イ　上記（１）イの異議申立理由について
　申立人は、本件特許発明１〜５は、甲第８号証に記載された発明に基いて、当業者が容易に発明をすることができたものであると主張している。（申立書第４４頁第１行〜第４８頁第３行）
（ア）本件訂正発明１と、上記４（２）サ（ケ）に認定した、甲第８号証（引用例１１）に記載された引用例１１発明とを対比する。
・引用例１１発明
「水栓金具や排水金具を有する洗面器の上方に設置され、鏡・収納棚、収納棚の両側に位置する側板、側板から出ているダボ、側板の前端側に開閉可能に支持された鏡扉、鏡扉の蝶番（ヒンジ）、手前に高い壁部を有し、奥に低い壁部を有するとともに、下面に、開口方向が低い壁部側に向けて開口しているＬ字状の棚板奥の突起と開口方向が高い壁部側に向けて開口している弧状の手前側の突起を有する棚板、及び、棚板が取り付けられる奥及び手前側のダボを備えるミラーキャビネットであって、前記棚板は本体奥のダボに棚板奥の突起を引っ掛け、手前側の突起を手前側のダボに上から下に向かってはめこむことにより取り付け、棚板の手前側を持ち上げて取外すものであるミラーキャビネット。」
ａ　引用例１１発明における「手前に高い壁部を有し、奥に低い壁部を有する棚板」は、本件訂正発明１における「内部に物品を収納可能な収納トレイ」であって「前記収納トレイは、物品が載置可能な底面部と、前記底面部の一端側から上方へ向かって立設された第一立壁部と、前記底面部の他端側から上方へ向かって立設された第二立壁部」を有し「前記第一立壁部の高さは、前記第二立壁部の高さより大き」いことに相当する。
ｂ　引用例１１発明における「水栓金具や排水金具を有する洗面器の上方に設置され、鏡・収納棚、収納棚の両側に位置する側板、側板から出ているダボ、側板の前端側に開閉可能に支持された鏡扉、鏡扉の蝶番（ヒンジ）、手前に高い壁部を有し、奥に低い壁部を有するとともに、下面に、開口方向が低い壁部側に向けて開口しているＬ字状の棚板奥の突起と開口方向が高い壁部側に向けて開口している弧状の手前側の突起を有する棚板、及び、棚板が取り付けられる奥及び手前側のダボを備えるミラーキャビネット」は、本件訂正発明１における「内部に物品を収納可能な収納トレイと、互いに対面する左右の側壁を有し前記収納トレイが設置されるキャビネット本体と、前記側壁の前端側に開閉可能に支持され前記キャビネット本体の内部空間を開放または隠蔽可能なミラーと、を備え、水栓装置から吐出された水を受けるボウル部を備えた洗面台の上方に設置される洗面キャビネット」に相当する。
ｃ　引用例１１発明における「棚板が取り付けられる奥及び手前側のダボ」の「奥のダボ」及び「手前側のダボ」は、本件訂正発明１における「前記被固定部」の「前記側壁の前端側に設けられた第一被固定部」及び「前記第一被固定部よりも後方側に設けられた第二被固定部」に相当する。
ｄ　引用例１１発明における「棚板」が「開口方向が低い壁部側に向けて開口しているＬ字状の棚板奥の突起」と「開口方向が高い壁部側に向けて開口している弧状の手前側の突起」を有し、「前記棚板は本体奥のダボに棚板奥の突起を引っ掛け、手前側の突起を手前側のダボに上から下に向かってはめこむことにより取り付け、棚板の手前側を持ち上げて取外すもの」であり、前記ダボは「側板から出ているダボ」であることは、「本件訂正発明１における「収納トレイ」が「前記底面部の下面に設けられ前記キャビネット本体の前記側壁に設けられた被固定部に対して着脱自在に固定可能な固定部」を有することに相当する。
ｅ　引用例１１発明における「開口方向が低い壁部側に向けて開口しているＬ字状の棚板奥の突起」は、棚板の下面に位置し、ダボを横から引っかける構造であることは明らかであるから、本件訂正発明１における「前記第一状態の場合に前記第二被固定部に対応する位置で前記第二立壁部側に向けて開口する第一横嵌合部」に相当する。
ｆ　引用例１１発明における「開口方向が高い壁部側に向けて開口している弧状の手前側の突起」と本件訂正発明１における「前記第一立壁部側に向けて開口する第二横嵌合部」とは、「固定部材」である点で共通する。
　なお、引用例１１発明における「手前側の突起」は、上から下にはめこむものであるから、「第二被固定部」に「嵌合」する「横嵌合部」ということはできず、棚板のいずれの側を手前に配置した場合にも、本件訂正発明１の「第二横嵌合部」に相当するものではない。
ｇ　引用例１１発明における「手前に高い壁部を有し、奥に低い壁部を有する棚板」を「本体奥のダボに棚板奥の突起を引っ掛け、手前側の突起を手前側のダボに上から下に向かってはめこむことにより取り付け、棚板の手前側を持ち上げて取外す」ことは、本件訂正発明１における「前記収納トレイ」は、「前記第一立壁部が前記第二立壁部より前方側に位置するように配置された第一状態で前記キャビネット本体に設置することが可能」であることに相当する。
　また、引用例１１発明の「棚板」が、「手前側の突起を手前側のダボに上から下に向かってはめこむことにより取り付ける」ことにより、前記棚板の底面部が手前側のダボに支持されることは明らかであるから、本件訂正発明１における「前記収納トレイ」は、「前記第一状態の場合には、後方側では前記第一横嵌合部が前記第二被固定部に嵌合するとともに、前方側では前記底面部が前記第一被固定部に支持される」ことに相当する。
ｈ　そうすると、本件訂正発明１と引用例１１発明とは、次の一致点及び相違点を有する。
・一致点
「内部に物品を収納可能な収納トレイと、互いに対面する左右の側壁を有し
前記収納トレイが設置されるキャビネット本体と、前記側壁の前端側に開閉可能に支持され前記キャビネット本体の内部空間を開放または隠蔽可能なミラーと、を備え、水栓装置から吐出された水を受けるボウル部を備えた洗面台の上方に設置される洗面キャビネットであって、
　前記収納トレイは、
　　物品が載置可能な底面部と、
　　前記底面部の一端側から上方へ向かって立設された第一立壁部と、
　　前記底面部の他端側から上方へ向かって立設された第二立壁部と、
　　前記底面部の下面に設けられ前記キャビネット本体の前記側壁に設けられた被固定部に対して着脱自在に固定可能な固定部と、を有し、
　前記第一立壁部の高さは、前記第二立壁部の高さより大きく、
　前記収納トレイは、前記第一立壁部が前記第二立壁部より前方側に位置するように配置された第一状態で前記キャビネット本体に設置することが可能であり、
　前記固定部は、前記収納トレイが第一状態である際に、前記キャビネット本体に対して着脱自在に固定可能であり、
　前記被固定部は、前記側壁の前端側に設けられた第一被固定部と、前記第一被固定部よりも後方側に設けられた第二被固定部と、を有し、
　前記固定部は、前記第一状態の場合に前記第二被固定部に対応する位置で前記第二立壁部側に向けて開口する第一横嵌合部と固定部材とを有し、
　前記収納トレイは、
　　前記第一状態の場合には、後方側では前記第一横嵌合部が前記第二被固定部に嵌合するとともに、前方側では前記底面部が前記第一被固定部に支持される洗面キャビネット。」
・相違点ア
　本件訂正発明１においては、「収納トレイ」が、「前記第一立壁部が前記第二立壁部より前方側に位置するように配置された第一状態と、前記第二立壁部が前記第一立壁部より前方側に位置するように配置された第二状態と、を切り替えて前記キャビネット本体に設置することが可能」であるのに対して、引用例１１発明においては、棚板が、第一状態でキャビネットに設置されるものであり、第二状態と切り替えてキャビネットに設置することは特定されていない点。
・相違点イ
　本件訂正発明１においては、「固定部」が、「前記収納トレイが第一状態である際でも、前記収納トレイが第二状態である際でも、前記キャビネット本体に対して着脱自在に固定可能であり」、「前記第一状態の場合に前記第二被固定部に対応する位置で前記第二立壁部側に向けて開口する第一横嵌合部と、前記第二状態の場合に前記第二被固定部に対応する位置で前記第一立壁部側に向けて開口する第二横嵌合部と、を有し」、
「収納トレイ」が、「前記第一状態の場合には、後方側では前記第一横嵌合部が前記第二被固定部に嵌合するとともに、前方側では前記底面部が前記第一被固定部に支持され、前記第二状態の場合には、後方側では前記第二横嵌合部が前記第二被固定部に嵌合するとともに、前方側では前記底面部が前記第一被固定部に支持される」のに対して、
　引用例１１発明においては、固定部として、棚板の高壁低い壁第一横嵌合部に加えて第二横嵌合部を有さず、前記棚板が、第二状態の場合に、後方側では前記第二横嵌合部が前記第二被固定部に嵌合するとともに、前方側では前記底面部が前記第一被固定部に支持されるものではない点。
（２）判断
ａ　事案に鑑み、上記相違点イについて検討する。
　引用例１１発明において、棚板の高壁側の底面部には横嵌合部が存在しないことは、上記（１）ｆに示したとおりである。
　そして、引用例１１発明においては、仮に、高い壁部側の底面部の下面に設けられた、上から下に向かってはめこむ弧状の突起を、たとえば棚板奥のＬ字状の突起のように、ダボに横から嵌合する突起に変更すると、たとえ低壁側の突起を上方から押してはめこもうとしても、上記低壁側の棚板奥の突起によりはめこみが妨げられ、棚板の装着ができなくなると解される。そのため、引用例１１発明において、高い壁部側の、上から下に向かってはめこむ弧状の突起を奥側のダボに横から嵌合する「第二横嵌合部」とすることには阻害要因があり、引用例１〜１０記載事項が開示されていたとしても、相違点イに係る本件訂正発明１を得ることは当業者にとって容易でない。
　そうすると、引用例１１発明における「手前側のダボに上から下に向かってはめこむことにより取り付け」る「手前側の突起」を、「横嵌合部」に相当する構造へと改変することについて、動機付けや示唆を示す証拠はないから、引用例１１発明及び周知技術に基いて、相違点イに係る本件訂正発明１の構成を得ることは当業者が容易に想到し得たこととはいえない。
ｂ　他に、本件訂正発明１が、甲第８号証（引用文献１１）に記載された発明及び周知技術に基いて当業者が容易に発明をすることができたものと認めるべき特段の事情もない。
ｃ　以上のとおりであるから、他の相違点について検討するまでもなく、本件訂正発明１は、甲第８号証（引用文献１１）に記載された発明及び周知技術に基いて、当業者が容易に発明をすることができたものということはできない。
ｄ　本件訂正発明５について
　本件訂正発明５は、本件訂正発明１の全ての発明特定事項を含むものであるから、本件訂正発明１と同じ理由により、甲第８号証（引用文献１１）に記載された発明及び周知技術に基いて、当業者が容易に発明できたものとはいえない。
ウ　上記（１）ウの異議申立理由について
　申立人は、本件特許発明７は、発明の詳細な説明に当業者が容易に実施できる程度に記載されていないと主張している。（申立書第４９頁下から７行〜、第５０頁第７行）
　上記申立理由は、訂正前の請求項７に係る特許についてのものである。
　そして、本件訂正請求により請求項７は削除されており、また、訂正後の請求項には他に訂正前の請求項７の発明特定事項を有するものはないから、請求項７に係る特許についての本件取消理由は、本件訂正によってその対象となる請求項が存在しないものとなった。
６　むすび
　以上のとおりであるから、取消理由通知に記載した取消理由及び特許異議申立書に記載した特許異議申立理由によっては、本件請求項１及び５に係る特許を取り消すことはできない。
　また、他に本件請求項１及び５に係る特許を取り消すべき理由を発見しない。
　また、本件請求項２〜４、６及び７は訂正により削除されたため、本件特許の請求項２〜４、６及び７に対して特許異議申立人がした特許異議申立てについては、対象となる請求項が存在しない。
　よって、結論のとおり決定する。
【異議決定日】
令和２年１月１７日（２０２０．１．１７）
【訂正の要旨】
審決（決定）の【理由】欄参照。
（５４）【発明の名称】
洗面
　【技術分野】
　【０００１】
　本発明の態様は、一般的に、物品を収納可能な収納トレイを備えた
洗面
　【背景技術】
　【０００２】
　従来、キャビネットの開口部の内部に設置され、内部に物品を収納可能な収納トレイが知られている。この収納トレイによれば、前方側に立壁部（前板）が立設しており、この立壁部によって、収納トレイの内部に収納された物品が、収納トレイの前方から落下してしまうことを防ぐことができる。
　【０００３】
　背の高い物品がこのような収納トレイに収納された場合において、立壁部によってこの物品の落下を防ぐためには、立壁部の高さがある程度大きい必要がある。一方で、立壁部の高さが大きい収納トレイであると、背の低い物品が収納された場合には、立壁部によってこの物品を前方側から視認しづらくなり、物品が収納トレイから取り出しにくくなるといった課題がある。
　【０００４】
　一方、特許文献１は、深い収納面と浅い収納面が裏表に形成された収納トレイが開示されている。この特許文献１に記載された収納トレイにおいては、上下に反転させて使用することで、収納面から立壁部である前板の上端までの距離が異なる２つの状態のどちらかに切り替えて、キャビネットの内部に設置させることができる。しかし、このような収納トレイにおいては、上下両面に収納面が形成されているため、収納トレイ全体の高さに対して背の高い物品を収納しづらくなるため、どちらの収納面を用いても背の高い物品の落下を防止しづらいという課題がある。
　【先行技術文献】
　【特許文献】
　【０００５】
　【特許文献１】特開２０１３−８５９１２号公報
　【発明の概要】
　【発明が解決しようとする課題】
　【０００６】
　本発明は、かかる課題の認識に基づいてなされたものであり、背の高い物品が収納された場合にも収納された物品の落下を防ぐことができる状態と、背の低い物品が収納された場合にも物品の視認性を確保することができる状態とを切り替えることができ、且つ、収納トレイ全体の高さに対して背の高い物品を収納できる収納トレイを備えた
洗面
　【課題を解決するための手段】
　【０００７】
　第１の発明は、内部に物品を収納可能な収納トレイと、
互いに対面する左右の側壁を有し
前記側壁の前端側に開閉可能に支持され前記キャビネット本体の内部空間を開放または隠蔽可能なミラーと、
水栓装置から吐出された水を受けるボウル部を備えた洗面台の上方に設置され
洗面
前記底面部の下面に設けられ前記キャビネット本体の前記側壁に設けられた被固定部に対して着脱自在に固定可能な固定部と、を有し、
り、前記固定部は、前記収納トレイが第一状態である際でも、前記収納トレイが第二状態である際でも、前記キャビネット本体に対して着脱自在に固定可能であり、前記被固定部は、前記側壁の前端側に設けられた第一被固定部と、前記第一被固定部よりも後方側に設けられた第二被固定部と、を有し、前記固定部は、前記第一状態の場合に前記第二被固定部に対応する位置で前記第二立壁部側に向けて開口する第一横嵌合部と、前記第二状態の場合に前記第二被固定部に対応する位置で前記第一立壁部側に向けて開口する第二横嵌合部と、を有し、前記収納トレイは、前記第一状態の場合には、後方側では前記第一横嵌合部が前記第二被固定部に嵌合するとともに、前方側では前記底面部が前記第一被固定部に支持され、前記第二状態の場合には、後方側では前記第二横嵌合部が前記第二被固定部に嵌合するとともに、前方側では前記底面部が前記第一被固定部に支持されることを
洗面
　【０００８】
　この
洗面
　【０００９】
（削除）
　【００１０】
（削除）
　【００１１】
（削除）
　【００１２】
（削除）
　【００１３】
（削除）
　【００１４】
（削除）
　【００１５】
　第
２
１
洗面
　【００１６】
　この
洗面
　【００１７】（
削除）
　【００１８】
（削除）
　【００１９】
（削除）
　【００２０】
（削除）
　【発明の効果】
　【００２１】
　本発明の態様によれば、背の高い物品が収納された場合にも収納された物品の落下を防ぐことができる状態と、背の低い物品が収納された場合にも物品の視認性を確保することができる状態とを切り替えることができ、且つ、収納トレイ全体の高さに対して背の高い物品を収納できる収納トレイを備えた
洗面
　【図面の簡単な説明】
　【００２２】
　【図１】本発明の第１の実施の形態に係るキャビネットを示す模式的斜視図である。
　【図２】図１のキャビネットが備えている収納トレイを示す模式的斜視図である。
　【図３】図２の収納トレイを示す模式的断面図である。
　【図４】図３の収納トレイをキャビネット本体に取り付ける過程を示す模式的断面図である。
　【図５】図４の収納トレイがキャビネット本体に取り付けられた状態を示す模式的断面図である。
　【図６】第一状態の図２の収納トレイに物品が収納された状態を示す模式的断面図である。
　【図７】図６の物品が収納された収納トレイを示す模式的正面図である。
　【図８】第二状態の図２の収納トレイに物品が収納された状態を示す模式的断面図である。
　【図９】図８の物品が収納された収納トレイを示す模式的正面図である。
　【図１０】図１のキャビネットの正面に使用者が位置している状態を示す模式的断面図である。
　【図１１】本発明の第２の実施の形態に係るキャビネットが備えている収納トレイを示す模式的断面図である。
　【図１２】図１１における収納トレイを第一状態でキャビネット本体に取り付ける過程を示す模式的断面図である。
　【図１３】図１１における収納トレイを第二状態でキャビネット本体に取り付ける過程を示す模式的断面図である。
　【図１４】本発明の第３の実施の形態に係るキャビネットが備えている収納トレイを示す模式的斜視図である。
　【図１５】図１４の収納トレイが取り付けられたキャビネット本体を示す模式的斜視図である。
　【図１６】図１４の収納トレイをキャビネット本体に取り付ける過程を示す模式的断面図である。
　【発明を実施するための形態】
　【００２３】
　以下、本発明の実施の形態について図面を参照しつつ説明する。なお、各図面中、同様の構成要素には同一の符号を付して詳細な説明は適宜省略する。
　また、本発明において、使用者がキャビネット１００に向かって立っている位置が、キャビネット１００に対する「前方」であると定義する。
　【００２４】
　図１は、本発明の第１の実施の形態に係るキャビネットを示す模式的斜視図である。
　なお、図１（ａ）は、２枚のミラーが開いているキャビネットを示す模式的斜視図であり、図１（ｂ）は、ミラーを取り外した状態のキャビネットを示す模式的斜視図である。
　【００２５】
　図１に示すように、キャビネット１００は、例えば樹脂で形成されたキャビネット本体１と、キャビネット本体１の内部空間に載置された収納トレイ２と、を備えている。このキャビネット１００は、例えば、水を吐出する水栓装置や、その水を受けるボウル部を備えた洗面台の上方に設置される。キャビネット本体１の上方には、発光素子を光源に有する照明装置（図示せず）が設置される。この照明装置は、キャビネット１００の前方に立っている使用者に向かって光を照射する。キャビネット本体１は、ミラー４を有しており、このミラー４を開閉させることによって、キャビネット本体１の内部空間を開放・隠蔽できる。なお、本発明の実施の形態においては、収納トレイ２は、キャビネット本体１の内部空間に収納されるものであるが、本発明はそれに限らず、例えば、キャビネット本体１の前方に設けられた棚に載置される構成などであっても良い。
　【００２６】
　図２は、図１のキャビネットが備えている収納トレイを示す模式的斜視図である。図３は、図２の収納トレイを示す模式的断面図である。
　なお、図２（ａ）は、第一状態の収納トレイを示す模式的斜視図であり、図２（ｂ）は、第二状態の収納トレイを示す模式的斜視図である。
　また、図３（ａ）は、第一状態の収納トレイを示す模式的断面図であり、図３（ｂ）は、第二状態の収納トレイを示す模式的断面図である。
　【００２７】
　図２、３に示すように、収納トレイ２は、物品が載置可能な底面部６と、底面部６の一端側から上方へ向かって立設された第一立壁部８と、底面部６の他端側（第一立壁部８が設けられた一端側とは反対の側）から上方へ向かって立設された第二立壁部１０と、を有している。収納トレイ２は、例えばポリプロピレン樹脂製である。第一立壁部８の高さは、第二立壁部１０の高さより大きい。なお、底面部６、第一立壁部８、第二立壁部１０は、一体に形成されている。
　【００２８】
　収納トレイ２は、図２（ａ）に示すような、第一立壁部８が第二立壁部１０より前方側に位置するように配置された第一状態と、図２（ｂ）に示すような、第二立壁部１０が第一立壁部８より前方側に位置するように配置された第二状態と、を切り替えてキャビネット本体１に設置することが可能である。
　【００２９】
　収納トレイ２は、キャビネット本体１に対して着脱自在に固定可能な固定部１２を有する。固定部１２は、底面部６の下面に設けられ、キャビネット本体１に設けられた被固定部１４（図４参照）に固定可能な底面側第一固定部１２ａ及び底面側第二固定部１２ｂを有する。即ち、本発明の第１の実施の形態において、固定部１２は、底面部６の下面に設けられ、収納トレイ２が第一状態である際に、キャビネット本体１に設けられた被固定部１４に固定可能な第一固定部であり、収納トレイ２が第二状態である際にも被固定部１４に固定可能な第二固定部である。
　【００３０】
　このように、収納トレイ２が第一状態であった場合でも、第二状態であった場合でも、キャビネット本体１に対して着脱自在に固定可能な固定部１２を備えたため、収納トレイ２を第一状態でキャビネット本体１に設置した場合にも、収納トレイ２を第二状態でキャビネット本体１に設置した場合にも、確実に収納トレイ２をキャビネット本体１に固定することができ、収納トレイ１が不意の外力によりキャビネット本体１から外れてしまうことを抑制することができる。
　【００３１】
　収納トレイ２は、底面部６の一端側から下方へ向かって立設された第三立壁部１６と、底面部６の他端側から下方へ向かって立設された第四立壁部１８と、を備えている。これらの役割は、後に詳述する。
　【００３２】
　図３に示すように、底面側第一固定部１２ａは、第二立壁部１０より第一立壁部８に近い位置に設けられている。底面側第二固定部１２ｂは、第一立壁部８より第二立壁部１０に近い位置に設けられている。底面側第一固定部１２ａ及び底面側第二固定部１２ｂは、第一立壁部８と第二立壁部１０との間における中央線Ａから略等距離となる位置に設けられている。
　より詳述すると、第一立壁部８から第二立壁部１０までの長さがＤ１とすると、第一立壁部８から中央線Ａまでの長さ、及び、第二立壁部１０から中央線Ａまでの長さ、はＤ１／２である。この際、底面側第一固定部１２ａから中央線Ａまでの長さであるＤ２は、底面側第二固定部１２ｂから中央線Ａまでの長さであるＤ３と、ほぼ等しい。なお、本発明における「略等距離」とは、例えば、それぞれの長さの差分（Ｄ３とＤ２との差分）が、５ミリメートル（ｍｍ）以内のものも含むものとする。
　【００３３】
　このことより、収納トレイ２を第一状態と第二状態とに切り替えてキャビネット本体１に設置する際に、底面側第一固定部１２ａが固定されていた被固定部１４に対して底面側第二固定部１２ｂを固定させることができ、また、底面側第二固定部１２ｂが固定されていた被固定部１４に対して底面側第一固定部１２ａを固定させることができる。したがって、極めて簡単な構造で、第一状態と第二状態とを切り替え可能な収納トレイ２を着脱自在にキャビネット本体１に固定することができる。また、底面側第一固定部１２ａ及び底面側第二固定部１２ｂは第一立壁部８と第二立壁部１０との間における中央線から等距離となる位置に設けられているため、収納トレイ２を第一状態でキャビネット本体１に設置したときの第一立壁部８の位置は、収納トレイ２を第二状態でキャビネット本体１に設置したときの第二立壁部１０の位置と、略同一となる。よって、第一状態の収納トレイ２と第二状態の収納トレイ２とで、収納トレイ２が設置されたキャビネット本体１を正面から見た際の見え方が統一される。したがって、収納トレイ２が設置されたキャビネット本体１を正面から見た際の美観が損なわれることを抑制できる。
　【００３４】
　図４は、図３の収納トレイをキャビネット本体に取り付ける過程を示す模式的断面図である。
　【００３５】
　図４に示すように、収納トレイ２をキャビネット本体１に取り付け、固定させるためには、収納トレイ２をキャビネット本体１の被固定部１４の上方から、下方へ移動させる。そして、被固定部１４は、例えば、長棒形状のバー部材である。底面側第一固定部１２ａ及び底面側第二固定部１２ｂに被固定部１４を嵌め込み、固定させる。底面側第一固定部１２ａ及び底面側第二固定部１２ｂには、それぞれ内側に突起が突出しており、底面側第一固定部１２ａ及び底面側第二固定部１２ｂに被固定部１４を嵌め込む際には、被固定部１４はこの突起を乗り越え、底面側第一固定部１２ａ及び底面側第二固定部１２ｂそれぞれの内部に挿入（取り付け）される。底面側第一固定部１２ａ及び底面側第二固定部１２ｂそれぞれの内部に挿入（取り付け）された被固定部１４は、これら突起によって、不意の外力が加わっても容易に外れないように構成されている。なお、本取り付け構成は、収納トレイ２が第一状態であっても第二状態であっても、実現できる。
　【００３６】
　図５は、図４の収納トレイがキャビネット本体に取り付けられた状態を示す模式的断面図である。
　【００３７】
　図５に示すように、不意に矢印方向の外力（キャビネット本体１に取り付けられた状態における収納トレイ２の前方側において下方から突き上げられる力）が加わったとしても、第一立壁部８がキャビネット本体１の収納空間内部の奥側面に当接することで、収納トレイ２が回転してしまうことを防ぐことができる。なお、本回転防止構成は、収納トレイ２が第一状態であっても第二状態であっても、実現できる。収納トレイ２が第一状態であった場合は、第二立壁部１０がキャビネット本体１の収納空間内部の奥側面に当接することで、収納トレイ２が回転してしまうことを防ぐことができる。収納トレイ２が第二状態であった場合は、第一立壁部８がキャビネット本体１の収納空間内部の奥側面に当接することで、収納トレイ２が回転してしまうことを防ぐことができる。
　【００３８】
　図６は、第一状態の図２の収納トレイに物品が収納された状態を示す模式的断面図である。図７は、図６の物品が収納された収納トレイを示す模式的正面図である。
　【００３９】
　図６、７に示すように、第一状態の収納トレイ２に背の高い物品（例えば化粧液ボトル２０など）や、背がそれなりに高い物品（例えば化粧乳液ボトル２２など）が収納されていても、第一立壁部８によって、これら物品の落下を防ぐことができる。
　【００４０】
　図８は、第二状態の図２の収納トレイに物品が収納された状態を示す模式的断面図である。図９は、図８の物品が収納された収納トレイを示す模式的正面図である。
　【００４１】
　図８、９に示すように、第二状態の収納トレイ２に背の低い物品（例えばコンタクトレンズケース２４や倒れたマニキュアケース２６など）や、背がそれなりに高い物品（例えば化粧乳液ボトル２２や直立して載置されたマニキュアケース２６など）が収納されていても、第二立壁部１０によって、これら物品の落下を防ぎつつ、物品の視認性を確保することができる。
　【００４２】
　本発明の収納トレイ２は、上下両面に収納面を設けていないため、収納トレイ２全体の高さに対して物品を収納できる深さを大きく確保することができ、収納トレイを必要以上に大型化することなく背の高い物品の落下をより確実に防止できる。
　【００４３】
　図１０は、図１のキャビネットの正面に使用者が位置している状態を示す模式的断面図である。
　【００４４】
　図１０に示すように、女性や子供など背の低い使用者であっても、本発明の収納トレイ２を第二状態でキャビネット本体１に設置すれば、収納トレイ２がキャビネット１００内のどの高さであっても、比較的容易に、収納トレイ２内に収納された物品を視認することができる。また、収納トレイ２は、前後反転させることで、第一状態と第二状態とを容易に切り替えることができるため、使用者の好みや、収納したい物品に合わせて、収納された物品の落下防止性を重視する第一状態か、収納された物品の視認性を重視する第二状態か、を選択できる。
　【００４５】
　図１１は、本発明の第２の実施の形態に係るキャビネットが備えている収納トレイを示す模式的断面図である。図１２は、図１１における収納トレイを第一状態でキャビネット本体に取り付ける過程を示す模式的断面図である。図１３は、図１１における収納トレイを第二状態でキャビネット本体に取り付ける過程を示す模式的断面図である。
　なお、図１１（ａ）は、本発明の第２の実施の形態に係る収納トレイが第一状態でキャビネット本体に取り付けられた状態を示す模式的断面図であり、図１１（ｂ）は、本発明の第２の実施の形態に係る収納トレイが第一状態でキャビネット本体に取り付けられた状態を示す模式的断面図である。
　【００４６】
　図１１に示すように、本発明の第２の実施の形態に係る収納トレイ２Ａにおいては、収納トレイ２Ａの固定部１２Ａは、底面部６の下面に設けられ、収納トレイ２Ａが第一状態である際に被固定部１４に固定可能な第一固定部２８と、底面部６の下面に設けられ、収納トレイ２Ａが第二状態である際に被固定部１４に固定可能な第二固定部３０と、を有している。
　【００４７】
　第一固定部２８は、被固定部１４を横から（底面部６と略平行な方向から）挿入可能な第一横嵌合部３２と、第一横嵌合部３２より第一立壁部８寄りに設けられており、被固定部１４を上方から挿入可能な第一縦嵌合部３４と、有している。
　【００４８】
　第二固定部３０は、被固定部１４を横から（底面部６と略平行な方向から）挿入可能な第二横嵌合部３６と、第二横嵌合部３６より第二立壁部１０寄りに設けられており、被固定部１４を上方から挿入可能な第二縦嵌合部３８と、有している。
　【００４９】
　収納トレイ２Ａが第一状態である際に第一固定部２８が固定されている被固定部１４の第一立壁部８と第二立壁部１０との間における中央線Ａからの距離は、収納トレイ２Ａが第二状態である際に第二固定部３０が固定されている被固定部１４の中央線Ａからの距離と、略同一である。
　より詳述すると、第一立壁部８から第二立壁部１０までの長さがＤ４とすると、第一立壁部８から中央線Ａまでの長さ、及び、第二立壁部１０から中央線Ａまでの長さ、はＤ４／２である。この際、第一縦嵌合部３４に挿入された被固定部１４から中央線Ａまでの長さであるＤ５は、第二縦嵌合部３８に挿入された被固定部１４から中央線Ａまでの長さであるＤ６と、ほぼ等しい。また、この際、第一横嵌合部３２に挿入された被固定部１４から中央線Ａまでの長さであるＤ７は、第二横嵌合部３６に挿入された被固定部１４から中央線Ａまでの長さであるＤ８と、ほぼ等しい。本発明の第２の実施の形態に係る収納トレイ２Ａにおいては、Ｄ５、Ｄ６、Ｄ７、Ｄ８は、ほぼ同一である。
　なお、本発明における「略同一」及び「ほぼ等しい」とは、例えば、それぞれの長さの差分（Ｄ５とＤ６との差分、又は、Ｄ７とＤ８との差分）が、５ミリメートル（ｍｍ）以内のものも含むものとする。
　【００５０】
　このことより、極めて簡単な構造で、第一状態と第二状態とを切り替え可能な収納トレイ２Ａを着脱自在にキャビネット本体１に固定することができる。また、収納トレイ２Ａが第一状態である際に第一固定部２８が固定されている被固定部１４の第一立壁部８と第二立壁部１０との間における中央線Ａからの距離は、収納トレイ２Ａが第二状態である際に第二固定部３０が固定されている被固定部１４の中央線Ａからの距離と、略同一であるため、収納トレイ２Ａを第一状態でキャビネット本体１に設置したときの第一立壁部８の位置は、収納トレイ２Ａを第二状態でキャビネット本体１に設置したときの第二立壁部１０の位置と、略同一となる。よって、第一状態の収納トレイ２Ａと第二状態の収納トレイ２Ａとで、収納トレイ２Ａが設置されたキャビネット本体１を正面から見た際の見え方が統一される。したがって、収納トレイ２Ａが設置されたキャビネット本体１を正面から見た際の美観が損なわれることを抑制できる。
　【００５１】
　本発明の第２の実施の形態に係る収納トレイ２Ａにおいては、収納トレイ２Ａをキャビネット本体１に固定させた状態では、一方の被固定部１４に嵌合している第一横嵌合部３２又は第二横嵌合部３６は、他方の被固定部１４に嵌合している第一縦嵌合部３４又は第二縦嵌合部３８より、キャビネット本体１内における後方に位置している。したがって、収納トレイ２Ａをキャビネット本体１に固定させた状態において、収納トレイ２Ａの前方側に上方から荷重が加わった際にも、被固定部１４に嵌合している第一横嵌合部３２又は第二横嵌合部３６の嵌合状態（固定状態）が解除されてしまうことを、第一横嵌合部３２又は第二横嵌合部３６の底面が被固定部１４に当接することによって防止できる。
　【００５２】
　図１２に示すように、収納トレイ２Ａを第一状態でキャビネット本体１に取り付ける際には、まず被固定部１４を横から（底面部６と略平行な方向から）第一横嵌合部３２に挿入し、嵌合（固定）させる。そして、第一横嵌合部３２に嵌合された被固定部１４を軸に収納トレイ２Ａを下方へ回転させ、他の被固定部１４を第一縦嵌合部３４に挿入し、嵌合（固定）させる。
　【００５３】
　図１３に示すように、収納トレイ２Ａを第二状態でキャビネット本体１に取り付ける際には、まず被固定部１４を横から（底面部６と略平行な方向から）第二横嵌合部３６に挿入し、嵌合（固定）させる。そして、第二横嵌合部３６に嵌合された被固定部１４を軸に収納トレイ２Ａを下方へ回転させ、他の被固定部１４を第二縦嵌合部３８に挿入し、嵌合（固定）させる。
　【００５４】
　このような取り付け方法により、使用者による収納トレイ２Ａの取り付けミスを防止できる。
　即ち、本発明の第１の実施の形態に係る収納トレイ２においては、収納トレイ２を被固定部１４の上方から載置させる際に、固定部１２と被固定部１４の位置がずれてしまうと、固定部１２と被固定部１４が嵌合しないため、収納トレイ２が固定されない。また、第三立壁部１６又は第四立壁部１８によって、収納トレイ２の正面に居る使用者は、固定部１２と被固定部１４との嵌合状態を視認できないため、この非固定状態に気付かない。一方で、本発明の第２の実施の形態に係る収納トレイ２Ａにおいては、収納トレイ２Ａを固定するためには、収納トレイ２Ａを被固定部１４の上方からそのまま載置させるものではなく、第一横嵌合部３２又は第二横嵌合部３６に一方の被固定部１４を嵌合させ、第二横嵌合部３６に嵌合された被固定部１４を軸に収納トレイ２Ａを下方へ回転させ、他方の被固定部１４を第一縦嵌合部３４又は第二縦嵌合部３８に挿入させるものであるため、誤って固定部１２Ａと被固定部１４が嵌合させずに収納トレイ２Ａを載置させてしまうことを抑制できる。また、仮に、収納トレイ２Ａを被固定部１４の上方からそのまま載置させてしまった場合には、被固定部１４と収納トレイ２Ａの底面とが当接することにより、被固定部１４が第三立壁部１６又は第四立壁部１８によって隠蔽されないため、収納トレイ２Ａの正面に居る使用者は、固定部１２Ａと被固定部１４との非嵌合状態を視認でき、収納トレイ２Ａの非固定状態に気付くことができる。
　【００５５】
　第一縦嵌合部３４及び第二縦嵌合部３８には、それぞれ内側に突起が突出しており、第一縦嵌合部３４及び第二縦嵌合部３８に被固定部１４を嵌め込む際には、被固定部１４はこの突起を乗り越え、第一縦嵌合部３４及び第二縦嵌合部３８それぞれの内部に挿入（取り付け）される。第一縦嵌合部３４及び第二縦嵌合部３８それぞれの内部に挿入（取り付け）された被固定部１４は、これら突起によって、不意の外力が加わっても容易に外れないように構成されている。
　【００５６】
　図１４は、本発明の第３の実施の形態に係るキャビネットが備えている収納トレイを示す模式的斜視図である。図１５は、図１４の収納トレイが取り付けられたキャビネット本体を示す模式的斜視図である。図１６は、図１４の収納トレイをキャビネット本体に取り付ける過程を示す模式的断面図である。
　なお、図１４（ａ）は、本発明の第３の実施の形態に係る収納トレイが第一状態である場合を示す模式的斜視図であり、図１４（ｂ）は、本発明の第３の実施の形態に係る収納トレイが第二状態である場合を示す模式的斜視図である。
　【００５７】
　図１４〜１６に示すように、本発明の第３の実施の形態に係る収納トレイ２Ｂは、収納トレイの側面を形成する２枚の側壁部４０と、それぞれの側壁部４０から外側へ向かって突出するように設けられた第一突起４２及び第二突起４４と、をさらに備えている。
　【００５８】
　キャビネット１Ａは、内部空間の左右内壁面の前方の端部（前端）から後方へ向かって切り欠かれた切り欠き部４６を備えている。切り欠き部は、第一突起４２及び第二突起４４が嵌合することで収納トレイ２Ｂの上下方向の動きを規制する。
　【００５９】
　このように、収納トレイ２Ｂの側壁部４０にそれぞれ設けられた第一突起４２及び第二突起４４を切り欠き部４６に嵌合させるだけで、第一状態と第二状態とを切り替え可能な収納トレイ２Ｂを着脱自在にキャビネット本体１Ａに設置することができる。よって、極めて簡単な構造で、第一状態と第二状態とを切り替え可能な収納トレイ２Ｂをキャビネット本体１Ａに着脱自在に設置することができる。
　【００６０】
　この切り欠き部４６の前端には、キャビネット１Ａに取り付けられた収納トレイ２Ｂの前方方向への移動を規制する当接部（規制手段）４８が設けられている。当接部４８は、それぞれの側壁部４０に設けられたそれぞれの切り欠き部４６の前端に設けられている。
　【００６１】
キャビネット１Ａに収納トレイ２Ｂを取り付けるには、まず、切り欠き部４６の前端であって切り欠き部４６内における当接部４８の上方から収納トレイ２Ｂの第一突起４２及び第二突起４４を、底面部６に対して水平方向に、挿入させる。その後、収納トレイ２Ｂの支持状態を解除させると、収納トレイ２Ｂ自身の荷重によって、収納トレイ２Ｂは下方に移動する。この状態においては、収納トレイ２Ｂは、当接部４８によって前方方向への移動を規制されている。
　【００６２】
　このように、収納トレイ２Ｂの前方方向への移動を規制する当接部４８を備えたことにより、収納トレイ２Ｂの側壁部４０にそれぞれ設けられた第一突起４２及び第二突起４４を切り欠き部４６に嵌合させ、第一状態と第二状態とを切り替え可能な収納トレイ２Ｂを着脱自在にキャビネット本体１Ａに設置した際にも、当接部４８によって、収納トレイ２Ｂの前方方向への移動を規制することができる。したがって、収納トレイ２Ｂに前方方向への外力が加わった際にも、収納トレイ２Ｂがキャビネット本体１Ａから外れて落下してしまうことを防ぐことができる。
　【００６３】
　以上、本発明の実施の形態について説明した。しかし、本発明はこれらの記述に限定されるものではない。
　【００６４】
　本発明のキャビネット１００は、洗面台の上方に設置されるもののみでなく、例えば、トイレルームやキッチン、浴室等に設置されるものも含む。
　【００６５】
　前述の実施の形態に関して、当業者が適宜設計変更を加えたものも、本発明の特徴を備えている限り、本発明の範囲に包含される。例えば、キャビネット１００などが備える各要素の形状、寸法、材質、配置などは、例示したものに限定されるわけではなく適宜変更することができる。
　また、前述した各実施の形態が備える各要素は、技術的に可能な限りにおいて組み合わせることができ、これらを組み合わせたものも本発明の特徴を含む限り本発明の範囲に包含される。
　【符号の説明】
　【００６６】
　１、１Ａ　キャビネット本体、　２、２Ａ、２Ｂ　収納トレイ、　４　ミラー、　６　底面部、　８　第一立壁部、　１０　第二立壁部、　１２、１２Ａ　固定部、　１２ａ　底面側第一固定部、　１２　底面側第二固定部、　１４　被固定部、　１６　第三立壁部、　１８　第四立壁部、　２０　化粧液ボトル、　２２　化粧乳液ボトル、　２４　コンタクトレンズケース、　２６　マニキュアケース、　２８　第一固定部、　３０　第二固定部、　３２　第一横嵌合部、　３４　第一縦嵌合部、　３６　第二横嵌合部、　３８　第二縦嵌合部、　４０　側壁部、　４２　第一突起、　４４　第二突起、４６　切り欠き部、　４８　当接部（規制手段）、　１００　キャビネット
（５７）【特許請求の範囲】
　【請求項１】
　内部に物品を収納可能な収納トレイと、
互いに対面する左右の側壁を有し
前記側壁の前端側に開閉可能に支持され前記キャビネット本体の内部空間を開放または隠蔽可能なミラーと、
水栓装置から吐出された水を受けるボウル部を備えた洗面台の上方に設置され
洗面
　前記収納トレイは、
　物品が載置可能な底面部と、
　前記底面部の一端側から上方へ向かって立設された第一立壁部と、
　前記底面部の他端側から上方へ向かって立設された第二立壁部と、
　
前記底面部の下面に設けられ前記キャビネット本体の前記側壁に設けられた被固定部に対して着脱自在に固定可能な固定部と、を有し、
　前記第一立壁部の高さは、前記第二立壁部の高さより大きく、
　前記収納トレイは、前記第一立壁部が前記第二立壁部より前方側に位置するように配置された第一状態と、前記第二立壁部が前記第一立壁部より前方側に位置するように配置された第二状態と、を切り替えて前記キャビネット本体に設置することが可能であ
り、
　
前記固定部は、前記収納トレイが第一状態である際でも、前記収納トレイが第二状態である際でも、前記キャビネット本体に対して着脱自在に固定可能であり、
　
前記被固定部は、前記側壁の前端側に設けられた第一被固定部と、前記第一被固定部よりも後方側に設けられた第二被固定部と、を有し、
　前記固定部は、前記第一状態の場合に前記第二被固定部に対応する位置で前記第二立壁部側に向けて開口する第一横嵌合部と、前記第二状態の場合に前記第二被固定部に対応する位置で前記第一立壁部側に向けて開口する第二横嵌合部と、を有し、
　
前記収納トレイは、
　
前記第一状態の場合には、後方側では前記第一横嵌合部が前記第二被固定部に嵌合するとともに、前方側では前記底面部が前記第一被固定部に支持され、
　
前記第二状態の場合には、後方側では前記第二横嵌合部が前記第二被固定部に嵌合するとともに、前方側では前記底面部が前記第一被固定部に支持されることを
洗面
　【請求項２】（削除）
　【請求項３】（削除）
　【請求項４】（削除）
　【請求項５】
　前記底面部の一端側から下方へ向かって立設された第三立壁部と、
　前記底面部の他端側から下方へ向かって立設された第四立壁部と、をさらに備え、
　前記第三立壁部及び前記第四立壁部との間に、前記固定部が配置されることを特徴とする請求項
１
洗面
　【請求項６】（削除）
　【請求項７】（削除）